(57)【要約】  本発明は、アクセスポイントリスト表示方法、装置、プログラム、及び記録媒体を開示し、電子表示分野に属するものである。当該方法は、端末を用いた走査により得られる各無線アクセスポイントの識別子を取得するステップと、前記各無線アクセスポイントの識別子のうちに少なくとも１つの所定種類の識別子が存在するか否かを判断するステップと、判断結果として、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するステップと、を含み、前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものである。本発明は、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。【選択図】        図２
2017501647.tif 000002
【特許請求の範囲】
【請求項１】
端末を用いた走査により得られる各無線アクセスポイントの識別子を取得するステップと、
前記各無線アクセスポイントの識別子のうちに少なくとも１つの所定種類の識別子が存在するか否かを判断するステップと、
判断結果として、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するステップと、
を含み、
前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものであることを特徴とするアクセスポイントリスト表示方法。
【請求項２】
前記少なくとも１つの所定種類の識別子に対応するアクセス記録に基づいて、前記少なくとも１つの所定種類の識別子をアクセスポイントリストに表示するステップは、
前記端末から前記所定種類の識別子に対応する無線アクセスポイントへのアクセス回数が前記アクセス記録に含まれている場合、前記端末から前記少なくとも１つの所定種類の識別子に対応する無線アクセスポイントへのアクセス回数の多い順に、前記少なくとも１つの所定種類の識別子を前記アクセスポイントリストのトップに表示するステップと、
前記端末から前記所定種類の識別子に対応する無線アクセスポイントへの直近のアクセス時間が前記アクセス記録に含まれている場合、前記端末から前記少なくとも１つの所定種類の識別子に対応する無線アクセスポイントへの直近のアクセス時間の近い順に、前記少なくとも１つの所定種類の識別子を前記アクセスポイントリストのトップに表示するステップと、
を含むことを特徴とする請求項１に記載のアクセスポイントリスト表示方法。
【請求項３】
前記アクセスポイントリストに対する指定操作を受けるステップと、
前記各無線アクセスポイントの識別子のうち前記所定種類の識別子以外の識別子を、所定の順に前記アクセスポイントリストに表示するステップと、
をさらに含み、
前記所定の順は、英文辞典順、無線アクセスポイントと前記端末の間の距離の遠い順、または、前記端末により受信された無線アクセスポイントの信号の強度の強い順を含むことを特徴とする請求項１に記載のアクセスポイントリスト表示方法。
【請求項４】
前記各無線アクセスポイントの識別子のうち前記所定種類の識別子以外の識別子を、所定の順に前記アクセスポイントリストに表示するステップは、
前記各無線アクセスポイントの識別子のうち前記所定種類の識別子以外の識別子を、前記少なくとも１つの所定種類の識別子の下方に表示するステップを含むことを特徴とする請求項３に記載のアクセスポイントリスト表示方法。
【請求項５】
前記少なくとも１つの所定種類の識別子を隠すステップをさらに含むことを特徴とする請求項３に記載のアクセスポイントリスト表示方法。
【請求項６】
判断結果として、前記少なくとも１つの所定種類の識別子が存在しない場合、所定の順に前記各無線アクセスポイントの識別子を前記アクセスポイントリストに表示するステップをさらに含み、
前記所定の順は、英文辞典順、無線アクセスポイントと前記端末の間の距離の遠い順、または、前記端末により受信された無線アクセスポイントの信号の強度の強い順を含むことを特徴とする請求項１に記載のアクセスポイントリスト表示方法。
【請求項７】
前記端末が前記各無線アクセスポイントのうちの１つの無線アクセスポイントにアクセスし、かつ前記無線アクセスポイントが前記所定種類の識別子に対応するアクセスポイントである場合、前記無線アクセスポイントの識別子に対応するアクセス記録を更新するステップと、
前記端末が前記各無線アクセスポイントのうちの１つの無線アクセスポイントにアクセスし、かつ前記無線アクセスポイントが前記所定種類の識別子に対応するアクセスポイントではない場合、前記無線アクセスポイントの識別子に対応するアクセス記録を確立するステップと、
をさらに含むことを特徴とする請求項１に記載のアクセスポイントリスト表示方法。
【請求項８】
端末を用いた走査により得られる各無線アクセスポイントの識別子を取得するための識別子取得モジュールと、
前記各無線アクセスポイントの識別子のうちに少なくとも１つの所定種類の識別子が存在するか否かを判断するための判断モジュールと、
前記判断モジュールにより判断された結果、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するための第１の表示モジュールと、
を含み、
前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものであることを特徴とするアクセスポイントリスト表示装置。
【請求項９】
前記第１の表示モジュールは、
前記端末から前記所定種類の識別子に対応する無線アクセスポイントへのアクセス回数が前記アクセス記録に含まれている場合、前記端末から前記少なくとも１つの所定種類の識別子に対応する無線アクセスポイントへのアクセス回数の多い順に、前記少なくとも１つの所定種類の識別子を前記アクセスポイントリストのトップに表示するための第１の表示サブモジュールと、
前記端末から前記所定種類の識別子に対応する無線アクセスポイントへの直近のアクセス時間が前記アクセス記録に含まれている場合、前記端末から前記少なくとも１つの所定種類の識別子に対応する無線アクセスポイントへの直近のアクセス時間の近い順に、前記少なくとも１つの所定種類の識別子を前記アクセスポイントリストのトップに表示するための第２の表示サブモジュールと、
を含むことを特徴とする請求項８に記載のアクセスポイントリスト表示装置。
【請求項１０】
前記アクセスポイントリストに対する指定操作を受けるための操作受けモジュールと、
前記各無線アクセスポイントの識別子のうち前記所定種類の識別子以外の識別子を、所定の順に前記アクセスポイントリストに表示するための第２の表示モジュールと、
をさらに含み、
前記所定の順は、英文辞典順、無線アクセスポイントと前記端末の間の距離の遠い順、または、前記端末により受信された無線アクセスポイントの信号の強度の強い順を含むことを特徴とする請求項８に記載のアクセスポイントリスト表示装置。
【請求項１１】
前記第２の表示モジュールは、
前記各無線アクセスポイントの識別子のうち前記所定種類の識別子以外の識別子を、前記少なくとも１つの所定種類の識別子の下方に表示することを特徴とする請求項１０に記載のアクセスポイントリスト表示装置。
【請求項１２】
前記少なくとも１つの所定種類の識別子を隠すための隠しモジュールをさらに含むことを特徴とする請求項１０に記載のアクセスポイントリスト表示装置。
【請求項１３】
前記判断モジュールにより判断された結果、前記少なくとも１つの所定種類の識別子が存在しない場合、所定の順に前記各無線アクセスポイントの識別子を前記アクセスポイントリストに表示するための第３の表示モジュールをさらに含み、
前記所定の順は、英文辞典順、無線アクセスポイントと前記端末の間の距離の遠い順、または、前記端末により受信された無線アクセスポイントの信号の強度の強い順を含むことを特徴とする請求項８に記載のアクセスポイントリスト表示装置。
【請求項１４】
前記端末が前記各無線アクセスポイントのうちの１つの無線アクセスポイントにアクセスし、かつ前記無線アクセスポイントが前記所定種類の識別子に対応するアクセスポイントである場合、前記無線アクセスポイントの識別子に対応するアクセス記録を更新するための記録更新モジュールと、
前記端末が前記各無線アクセスポイントのうちの１つの無線アクセスポイントにアクセスし、かつ前記無線アクセスポイントが前記所定種類の識別子に対応するアクセスポイントではない場合、前記無線アクセスポイントの識別子に対応するアクセス記録を確立するための記録確立モジュールと、
をさらに含むことを特徴とする請求項８に記載のアクセスポイントリスト表示装置。
【請求項１５】
プロセッサと、
前記プロセッサにより実行可能な命令を記憶するためのメモリと、
を含み、
前記プロセッサは、
端末を用いた走査により得られる各無線アクセスポイントの識別子を取得し、
前記各無線アクセスポイントの識別子のうちに少なくとも１つの所定種類の識別子が存在するか否かを判断し、
判断結果として、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するように構成され、
前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものであることを特徴とするアクセスポイントリスト表示装置。
【発明の詳細な説明】
【技術分野】
【０００１】
本願は、出願番号がＣＮ２０１４１０５２１２０８．８であって、出願日が２０１４年９月３０日である中国特許出願に基づき優先権を主張し、当該中国特許出願のすべての内容を本願に援用する。
【０００２】
本発明は、電子表示分野に属し、特にアクセスポイントリスト表示方法、及び装置に関するものである。
【背景技術】
【０００３】
スマートフォンなどの無線機能を有する端末は、Ｗｉ-Ｆｉ（Ｗｉｒｅｌｅｓｓ Ｆｉｄｅｌｉｔｙ）アクセスポイントと接続する前に、通常、走査された各アクセスポイントの識別子をリストとしてユーザが見れるように表示することにより、ユーザがリストから１つのアクセスポイントを選択してアクセスするようにする。
関連技術において、端末は、通常、走査された各Ｗｉ-Ｆｉアクセスポイントの識別子を英文辞典順にアクセスポイントリストに表示する。例えば、Ｗｉ-Ｆｉアクセスポイントの識別子が英文のアルファベットからなる場合、端末は、まず走査された各Ｗｉ-Ｆｉアクセスポイントの識別子の頭文字を比較し、頭文字の英文辞典における位置が前にあるＷｉ-Ｆｉアクセスポイントの識別子をアクセスポイントリストのトップに表示し、同一頭文字の識別子に対して、引き続き２番目のアルファベットの英文辞典での順番を比較し、これをもって類推する。
【発明の概要】
【発明が解決しようとする課題】
【０００４】
端末を用いた走査により得られるＷｉ-Ｆｉアクセスポイントの数が比較的多い場合、これらのＷｉ-Ｆｉアクセスポイントの識別子を英文辞典順にアクセスポイントリストに表示すると、ユーザにとって、希望するアクセス先のＷｉ-Ｆｉアクセスポイントを探すまで時間がかかり、時間の無駄遣いが生じてしまい、ユーザの体験に影響を与える。
【課題を解決するための手段】
【０００５】
本発明は、関連技術において、端末を用いた走査により得られるＷｉ-Ｆｉアクセスポイントの数が比較的多い場合、ユーザにとって、希望するアクセス先のＷｉ-Ｆｉアクセスポイントを探すまで時間がかかり、時間の無駄遣いが生じてしまい、ユーザの体験に影響を与える、という問題を解決するために、アクセスポイントリスト表示方法、及び装置を提供する。その提案は、下記である。
【０００６】
本発明の第１の態様によると、アクセスポイントリスト表示方法を提供し、当該アクセスポイントリスト表示方法は、
端末を用いた走査により得られる各無線アクセスポイントの識別子を取得するステップと、
前記各無線アクセスポイントの識別子のうちに少なくとも１つの所定種類の識別子が存在するか否かを判断するステップと、
判断結果として、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するステップと、を含み、
前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものである。
【０００７】
好ましくは、前記少なくとも１つの所定種類の識別子に対応するアクセス記録に基づいて、前記少なくとも１つの所定種類の識別子をアクセスポイントリストに表示するステップは、
前記端末から前記所定種類の識別子に対応する無線アクセスポイントへのアクセス回数が前記アクセス記録に含まれている場合、前記端末から前記少なくとも１つの所定種類の識別子に対応する無線アクセスポイントへのアクセス回数の多い順に、前記少なくとも１つの所定種類の識別子を前記アクセスポイントリストのトップに表示するステップと、
前記端末から前記所定種類の識別子に対応する無線アクセスポイントへの直近のアクセス時間が前記アクセス記録に含まれている場合、前記端末から前記少なくとも１つの所定種類の識別子に対応する無線アクセスポイントへの直近のアクセス時間の近い順に、前記少なくとも１つの所定種類の識別子を前記アクセスポイントリストのトップに表示するステップと、を含む。
【０００８】
好ましくは、前記アクセスポイントリスト表示方法は、
前記アクセスポイントリストに対する指定操作を受けるステップと、
前記各無線アクセスポイントの識別子のうち前記所定種類の識別子以外の識別子を、所定の順に前記アクセスポイントリストに表示するステップと、をさらに含み、
前記所定の順は、英文辞典順、無線アクセスポイントと前記端末の間の距離の遠い順、または、前記端末により受信された無線アクセスポイントの信号の強度の強い順を含む。
【０００９】
好ましくは、前記各無線アクセスポイントの識別子のうち前記所定種類の識別子以外の識別子を、所定の順に前記アクセスポイントリストに表示するステップは、
前記各無線アクセスポイントの識別子のうち前記所定種類の識別子以外の識別子を、前記少なくとも１つの所定種類の識別子の下方に表示するステップを含む。
【００１０】
好ましくは、前記アクセスポイントリスト表示方法は、前記少なくとも１つの所定種類の識別子を隠すステップをさらに含む。
【００１１】
好ましくは、前記アクセスポイントリスト表示方法は、
判断結果として、前記少なくとも１つの所定種類の識別子が存在しない場合、所定の順に前記各無線アクセスポイントの識別子を前記アクセスポイントリストに表示するステップをさらに含み、
前記所定の順は、英文辞典順、無線アクセスポイントと前記端末の間の距離の遠い順、または、前記端末により受信された無線アクセスポイントの信号の強度の強い順を含む。
【００１２】
好ましくは、前記アクセスポイントリスト表示方法は、
前記端末が前記各無線アクセスポイントのうちの１つの無線アクセスポイントにアクセスし、かつ前記無線アクセスポイントが前記所定種類の識別子に対応するアクセスポイントである場合、前記無線アクセスポイントの識別子に対応するアクセス記録を更新するステップと、
前記端末が前記各無線アクセスポイントのうちの１つの無線アクセスポイントにアクセスし、かつ前記無線アクセスポイントが前記所定種類の識別子に対応するアクセスポイントではない場合、前記無線アクセスポイントの識別子に対応するアクセス記録を確立するステップと、をさらに含む。
【００１３】
本発明の第２の態様によると、アクセスポイントリスト表示装置を提供し、当該アクセスポイントリスト表示装置は、
端末を用いた走査により得られる各無線アクセスポイントの識別子を取得するための識別子取得モジュールと、
前記各無線アクセスポイントの識別子のうちに少なくとも１つの所定種類の識別子が存在するか否かを判断するための判断モジュールと、
前記判断モジュールにより判断された結果、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するための第１の表示モジュールと、を含み、
前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものである。
【００１４】
好ましくは、前記第１の表示モジュールは、
前記端末から前記所定種類の識別子に対応する無線アクセスポイントへのアクセス回数が前記アクセス記録に含まれている場合、前記端末から前記少なくとも１つの所定種類の識別子に対応する無線アクセスポイントへのアクセス回数の多い順に、前記少なくとも１つの所定種類の識別子を前記アクセスポイントリストのトップに表示するための第１の表示サブモジュールと、
前記端末から前記所定種類の識別子に対応する無線アクセスポイントへの直近のアクセス時間が前記アクセス記録に含まれている場合、前記端末から前記少なくとも１つの所定種類の識別子に対応する無線アクセスポイントへの直近のアクセス時間の近い順に、前記少なくとも１つの所定種類の識別子を前記アクセスポイントリストのトップに表示するための第２の表示サブモジュールと、を含む。
【００１５】
好ましくは、前記アクセスポイントリスト表示装置は、
前記アクセスポイントリストに対する指定操作を受けるための操作受けモジュールと、
前記各無線アクセスポイントの識別子のうち前記所定種類の識別子以外の識別子を、所定の順に前記アクセスポイントリストに表示するための第２の表示モジュールと、をさらに含み、
前記所定の順は、英文辞典順、無線アクセスポイントと前記端末の間の距離の遠い順、または、前記端末により受信された無線アクセスポイントの信号の強度の強い順を含む。
【００１６】
好ましくは、前記第２の表示モジュールは、
前記各無線アクセスポイントの識別子のうち前記所定種類の識別子以外の識別子を、前記少なくとも１つの所定種類の識別子の下方に表示する。
【００１７】
好ましくは、前記アクセスポイントリスト表示装置は、前記少なくとも１つの所定種類の識別子を隠すための隠しモジュールをさらに含む。
【００１８】
好ましくは、前記アクセスポイントリスト表示装置は、
前記判断モジュールにより判断された結果、前記少なくとも１つの所定種類の識別子が存在しない場合、所定の順に前記各無線アクセスポイントの識別子を前記アクセスポイントリストに表示するための第３の表示モジュールをさらに含み、
前記所定の順は、英文辞典順、無線アクセスポイントと前記端末の間の距離の遠い順、または、前記端末により受信された無線アクセスポイントの信号の強度の強い順を含む。
【００１９】
好ましくは、前記アクセスポイントリスト表示装置は、
前記端末が前記各無線アクセスポイントのうちの１つの無線アクセスポイントにアクセスし、かつ前記無線アクセスポイントが前記所定種類の識別子に対応するアクセスポイントである場合、前記無線アクセスポイントの識別子に対応するアクセス記録を更新するための記録更新モジュールと、
前記端末が前記各無線アクセスポイントのうちの１つの無線アクセスポイントにアクセスし、かつ前記無線アクセスポイントが前記所定種類の識別子に対応するアクセスポイントではない場合、前記無線アクセスポイントの識別子に対応するアクセス記録を確立するための記録確立モジュールと、をさらに含む。
【００２０】
本発明の第３の態様によると、アクセスポイントリスト表示装置を提供し、当該アクセスポイントリスト表示装置は、
プロセッサと、
前記プロセッサにより実行可能な命令を記憶するためのメモリと、を含み、
前記プロセッサは、
端末を用いた走査により得られる各無線アクセスポイントの識別子を取得し、
前記各無線アクセスポイントの識別子のうちに少なくとも１つの所定種類の識別子が存在するか否かを判断し、
判断結果として、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するように構成され、
前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものである。
【発明の効果】
【００２１】
本発明の実施例に係る提案は、以下の有益な効果を有する。
【００２２】
端末を用いた走査により得られる各無線アクセスポイントの識別子を取得し、各無線アクセスポイントの識別子のうちに少なくとも１つの所定種類の識別子が存在すると判断された場合、当該少なくとも１つの所定種類の識別子に対応するアクセス記録に基づいて、当該少なくとも１つの所定種類の識別子をアクセスポイントリストに表示し、走査された無線アクセスポイントについて、端末が接続したことのある無線アクセスポイントであると判断された場合、当該無線アクセスポイントの識別子をより目立つ形でアクセスポイントリストに表示することによって、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。
【００２３】
以上の一般的な記述と、以下の詳細の記述は、ただ例示的なものであって、本発明を限定するものではないことを理解すべきである。
【図面の簡単な説明】
【００２４】
ここの図面は、明細書に組み入れて本明細書の一部分を構成し、本発明に該当する実施例を例示するとともに、明細書とともに本発明の原理を解釈するために用いられる。
【図１】一部の例示的な実施例によるアクセスポイントリスト表示方法に係る実施環境の模式図である。
【図２】一例示的な実施例によるアクセスポイントリスト表示方法のフロー図である。
【図３】別の例示的な実施例によるアクセスポイントリスト表示方法のフロー図である。
【図４】別の例示的な実施例による所定種類の識別子の表示模式図である。
【図５】別の例示的な実施例による別の所定種類の識別子の表示模式図である。
【図６】さらに別の例示的な実施例によるアクセスポイントリスト表示方法のフロー図である。
【図７】さらに別の例示的な実施例による非所定種類の識別子の表示模式図である。
【図８】さらに別の例示的な実施例による別の非所定種類の識別子の表示模式図である。
【図９】一例示的な実施例によるアクセスポイントリスト表示装置のブロック図である。
【図１０】別の例示的な実施例によるアクセスポイントリスト表示装置のブロック図である。
【図１１】例示的な実施例によるアクセスポイントリスト表示装置のブロック図である。
【発明を実施するための形態】
【００２５】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。かえって、それらは、添付される特許請求の範囲で詳細に記載される本発明の一部の態様に一致する装置、及び方法の例に過ぎない。
【００２６】
図１は、本発明の各実施例による情報処理方法に係る実施環境の模式図である。当該実施環境は、端末１２０と、複数の無線アクセスポイント１４０を含む。
【００２７】
端末１２０は、スマートフォン、タブレットＰＣ、電子書籍リーダ、ノートパソコンまたは無線ネットワークカードが接続されているデスクトップパソコンなど、無線ネットワークにアクセス可能なスマート端末である。
【００２８】
無線アクセスポイント１４０は、例えばＷｉ-Ｆｉアクセスポイントである。
【００２９】
図２は、一例示的な実施例によるアクセスポイントリスト表示方法のフロー図である。本実施例は、当該アクセスポイントリスト表示方法が図１に示す実施環境に応用されることを例として説明する。ここで、当該アクセスポイントリスト表示方法は、図１に示す実施環境の端末１２０に応用される。図２に示すように、当該アクセスポイントリスト表示方法は、下記ステップを含むことができる。
【００３０】
ステップ２０２において、端末を用いた走査により得られる各無線アクセスポイントの識別子を取得する。
【００３１】
ステップ２０４において、各無線アクセスポイントの識別子のうちに少なくとも１つの所定種類の識別子が存在するか否かを判断する。ここで、当該所定種類の識別子は、対応するアクセス記録が当該端末に格納されている識別子であり、当該アクセス記録は、当該所定種類の識別子に対応する無線アクセスポイントに当該端末がアクセスした履歴情報を示すためのものである。
【００３２】
ステップ２０６において、判断結果として、少なくとも１つの所定種類の識別子が存在する場合、当該少なくとも１つの所定種類の識別子に対応するアクセス記録に基づいて、当該少なくとも１つの所定種類の識別子をアクセスポイントリストに表示する。
【００３３】
本発明の実施例において、走査された無線アクセスポイントの識別子について、対応するアクセス記録が端末に格納されていると判断された場合、当該無線アクセスポイントが、過去に端末からアクセスされたことのある無線アクセスポイントであると確定することができる。ユーザが当該無線アクセスポイントを再び選択してアクセスする可能性が大きいため、アクセスポイントリストを表示する際に、当該無線アクセスポイントの識別子をより目立つ形でアクセスポイントリストに表示することによって、ユーザがアクセスしたい無線アクセスポイントをアクセスポイントリストから容易に見つけ出すようにし、ユーザの時間の節約になる。
【００３４】
要するに、本発明の実施例によるアクセスポイントリスト表示方法によると、端末を用いた走査により得られる各無線アクセスポイントの識別子を取得し、各無線アクセスポイントの識別子のうちに少なくとも１つの所定種類の識別子が存在すると判断された場合、当該少なくとも１つの所定種類の識別子に対応するアクセス記録に基づいて、当該少なくとも１つの所定種類の識別子をアクセスポイントリストに表示し、走査された無線アクセスポイントについて、端末が接続したことのある無線アクセスポイントであると判断された場合、当該無線アクセスポイントの識別子をより目立つ形でアクセスポイントリストに表示することによって、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。
【００３５】
端末が少なくとも１つの所定種類の識別子に対応するアクセス記録に基づいて、当該少なくとも１つの所定種類の識別子をアクセスポイントリストに表示する方法は、例えば、当該少なくとも１つの所定種類の識別子をアクセスポイントリストのトップに表示する方法、当該所定種類の識別子を特殊な色、背景または模様で表示する方法、または、アクセスポイントリストにおける当該所定種類の識別子の表示領域に、当該所定種類の識別子に対応するアクセス記録を表示する方法がある。本発明の以下の実施例は、少なくとも１つの所定種類の識別子をアクセスポイントリストのトップに表示することを例として、本発明の提案を詳細に説明する。
【００３６】
図３は、別の例示的な実施例によるアクセスポイントリスト表示方法のフロー図である。本実施例は、当該アクセスポイントリスト表示方法が図１に示す実施環境に応用されることを例として説明する。ここで、当該アクセスポイントリスト表示方法は、図１に示す実施環境の端末１２０に応用される。図３に示すように、当該アクセスポイントリスト表示方法は、下記ステップを含むことができる。
【００３７】
ステップ３０２において、端末を用いた走査により得られる各無線アクセスポイントの識別子を取得する。
【００３８】
ここで、無線アクセスポイントの識別子は、例えば、対応する無線アクセスポイントのサービスセット識別子ＳＳＩＤ（Ｓｅｒｖｉｃｅ Ｓｅｔ Ｉｄｅｎｔｉｆｉｅｒ）である。
【００３９】
端末がスマートフォンであり、無線アクセスポイントがＷｉ-Ｆｉアクセスポイントであり、アクセスポイントの識別子がアクセスポイントのＳＳＩＤであることを例とすると、スマートフォンは、アクセスポイントの走査時、スマートフォン付近のＷｉ-Ｆｉアクセスポイントから周期的に送信されるビーコン（ｂｅａｃｏｎ）フレームを受信すると、当該Ｗｉ-Ｆｉアクセスポイントにプローブリクエスト（ｐｒｏｂｅ ｒｅｑｕｅｓｔ）フレームを送信する。当該Ｗｉ-Ｆｉアクセスポイントは、当該プローブリクエストフレームを受信すると、当該Ｗｉ-ＦｉアクセスポイントのＳＳＩＤが付いたプローブレスポンス（ｐｒｏｂｅ ｒｅｓｐｏｎｓｅ）フレームを当該スマートフォンに返信する。
【００４０】
ステップ３０４において、各無線アクセスポイントの識別子のうちに少なくとも１つの所定種類の識別子が存在するか否かを判断する。存在する場合、ステップ３０６に進み、存在しない場合、ステップ３０８に進む。
【００４１】
当該所定種類の識別子は、対応するアクセス記録が当該端末に格納されている識別子であり、当該アクセス記録は、当該所定種類の識別子に対応する無線アクセスポイントに当該端末がアクセスした履歴情報を示すためのものである。
【００４２】
ここで、スマートフォンは、ローカルのデータベースに当該スマートフォンがアクセスしたことのあるＷｉ-Ｆｉアクセスポイントの識別子、及びスマートフォンがアクセスしたことのあるＷｉ-Ｆｉアクセスポイントの識別子に対応するアクセス記録を予め格納することができる。当該アクセス記録には、当該スマートフォンから当該Ｗｉ-Ｆｉアクセスポイントへのアクセス回数が含まれていてもよく、または、当該アクセス記録には、当該スマートフォンから当該Ｗｉ-Ｆｉアクセスポイントへアクセスするたびの時間が含まれていてもよく、または、当該アクセス記録には、当該スマートフォンから当該Ｗｉ-Ｆｉアクセスポイントへのアクセス回数、および当該スマートフォンから当該Ｗｉ-Ｆｉアクセスポイントへアクセスするたびの時間が含まれていてもよい。
【００４３】
ステップ３０６において、当該少なくとも１つの所定種類の識別子に対応するアクセス記録に基づいて、当該少なくとも１つの所定種類の識別子をアクセスポイントリストに表示する。
【００４４】
当該アクセス記録に、当該端末から当該所定種類の識別子に対応する無線アクセスポイントへのアクセス回数が含まれている場合、当該端末から当該少なくとも１つの所定種類の識別子に対応する無線アクセスポイントへのアクセス回数の多い順に、当該少なくとも１つの所定種類の識別子を当該アクセスポイントリストのトップに表示する。当該アクセス記録に、当該端末から当該所定種類の識別子に対応する無線アクセスポイントへの直近のアクセス時間が含まれている場合、当該端末から当該少なくとも１つの所定種類の識別子に対応する無線アクセスポイントへの直近のアクセス時間の近い順に、当該少なくとも１つの所定種類の識別子を当該アクセスポイントリストのトップに表示する。
【００４５】
例えば、端末がスマートフォンであり、無線アクセスポイントがＷｉ-Ｆｉアクセスポイントであり、アクセスポイントの識別子がアクセスポイントのＳＳＩＤであることを例として、スマートフォンを用いた走査により得られるＷｉ-Ｆｉアクセスポイントが計６個あり、当該６個のＷｉ-ＦｉアクセスポイントのＳＳＩＤをそれぞれＡｘｘｘｘ、Ｂｘｘｘｘ、Ｃｘｘｘｘｘ、Ｄｘｘｘｘｘ、Ｅｘｘｘｘｘ、Ｆｘｘｘｘｘとする。ここで、Ｂｘｘｘｘ、Ｃｘｘｘｘｘ、Ｅｘｘｘｘｘは、所定種類の識別子であり、すなわち、Ｂｘｘｘｘ、Ｃｘｘｘｘｘ、Ｅｘｘｘｘｘにそれぞれ対応するアクセス記録がスマートフォンに格納されており、これらのＳＳＩＤに対応するＷｉ-Ｆｉアクセスポイントにスマートフォンがアクセスしたことがあることを示す。本発明の実施例による２種類の所定種類の識別子の表示模式図は、図４、図５に示すようである。
【００４６】
図４に示すように、スマートフォン４０に格納されているＳＳＩＤに対応するアクセス記録に、スマートフォンから当該ＳＳＩＤに対応するアクセスポイントへのアクセス回数が含まれている場合、スマートフォン４０は、Ｂｘｘｘｘ、Ｃｘｘｘｘｘ、Ｅｘｘｘｘｘをアクセス回数の多い順にアクセスポイントリスト４１のトップに並べることができる。ここで、スマートフォン４０のＣｘｘｘｘｘに対応するアクセスポイントへのアクセス回数が最も多く（１００回）、次はＥｘｘｘｘｘに対応するアクセスポイントであり（１０回）、Ｂｘｘｘｘに対応するアクセスポイントへのアクセス回数が最も少ない（１回）。スマートフォン４０は、アクセスポイントリスト４１において、上から第１の位にＣｘｘｘｘｘ、第２の位にＥｘｘｘｘｘ、第３の位にＢｘｘｘｘを表示するとともに、各ＳＳＩＤの右側の指定位置４２にスマートフォンのアクセス回数を表示する。
【００４７】
または、図５に示すように、スマートフォン５０に格納されているＳＳＩＤに対応するアクセス記録に、スマートフォン５０から当該ＳＳＩＤに対応するアクセスポイントへの直近のアクセス時間が含まれている場合、スマートフォン５０は、Ｂｘｘｘｘ、Ｃｘｘｘｘｘ、Ｅｘｘｘｘｘを直近のアクセス時間の近い順にアクセスポイントリスト５１のトップに並べることができる。ここで、スマートフォン５０からＣｘｘｘｘｘに対応するアクセスポイントへの直近のアクセス時間が最も近く（１日前）、次はＥｘｘｘｘｘに対応するアクセスポイントであり（１週間前）、Ｂｘｘｘｘに対応するアクセスポイントへの直近のアクセス時間が現在の時点から最も遠い（１ヶ月前）。スマートフォン５０は、アクセスポイントリスト５１において、上から第１の位にＣｘｘｘｘｘ、第２の位にＥｘｘｘｘｘ、第３の位にＢｘｘｘｘを表示するとともに、各ＳＳＩＤの右側の指定位置５２に、スマートフォン５０から対応するアクセスポイントへの直近のアクセス時間から現在の時点までの時間間隔を表示する。
【００４８】
ステップ３０８において、当該各無線アクセスポイントの識別子を所定の順に当該アクセスポイントリストに表示する。
【００４９】
ここで、当該所定の順は、英文辞典順、無線アクセスポイントと当該端末の間の距離の遠い順、または、当該端末により受信された無線アクセスポイントの信号の強度の強い順を含む。
【００５０】
端末を用いた走査により得られる各無線アクセスポイントの識別子がいずれも対応するアクセス記録が端末に格納されていないと判断された場合、走査された各無線アクセスポイントのうち、当該端末からアクセスしたことのある無線アクセスポイントが存在しないことを表す。この場合、各無線アクセスポイントの識別子を英文アルファベット順、信号の強い順、または距離の遠い順にアクセスポイントリストに表示することができる。
【００５１】
例えば、英文アルファベット順に表示する場合、頭文字の英文辞書における位置が前にある無線アクセスポイントの識別子をアクセスポイントリストの一番上に表示する。頭文字が同一である識別子について、引き続き２番目のアルファベットの英文辞典での順番を比較し、これをもって類推する。
【００５２】
また、無線アクセスポイントの識別子にアラビア数字も含まれている場合、端末は、頭文字が英文アルファベットである識別子をアクセスポイントリストの一番上に優先的に表示し、次に頭文字がアラビア数字である識別子を表示する。すなわち、英文アルファベットの表示優先度は、アラビア数字より高い。同様に、複数の識別子の頭文字が同一のアラビア数字である場合、引き続き当該複数の識別子の２番目の文字を比較する。
【００５３】
信号の強度または距離によってアクセスポイントリストを表示する場合、端末は、各アクセスポイントから送信される信号の強度を測定し、各アクセスポイントの識別子を信号の強い順にアクセスポイントリストに表示することができる。ここで、信号が最も強いアクセスポイントの識別子は、アクセスポイントリストの一番上に表示され、信号が最も弱いアクセスポイントの識別子は、アクセスポイントリストの一番下に表示される。または、端末は、各アクセスポイントと端末の間の距離を測定し、各アクセスポイントの識別子を距離の近い順にアクセスポイントリストに表示することもできる。ここで、端末からの距離が最も近いアクセスポイントの識別子は、アクセスポイントリストの一番上に表示され、端末からの距離が最も遠いアクセスポイントの識別子は、アクセスポイントリストの一番下に表示される。
【００５４】
ステップ３１０において、当該端末が各無線アクセスポイントのうちの１つの無線アクセスポイントにアクセスするとき、当該無線アクセスポイントの識別子に対応するアクセス記録を更新または確立する。
【００５５】
ここで、当該端末が当該各無線アクセスポイントのうちの１つの無線アクセスポイントにアクセスし、かつ当該無線アクセスポイントが当該所定種類の識別子に対応するアクセスポイントである場合、当該無線アクセスポイントの識別子に対応するアクセス記録を更新する。
【００５６】
当該端末が当該各無線アクセスポイントのうちの１つの無線アクセスポイントにアクセスし、かつ当該無線アクセスポイントが当該所定種類の識別子に対応するアクセスポイントではない場合、当該無線アクセスポイントの識別子に対応するアクセス記録を確立する。
【００５７】
端末がスマートフォンであり、無線アクセスポイントがＷｉ-Ｆｉアクセスポイントであることを例とすると、スマートフォンは、Ｗｉ-Ｆｉアクセスポイントにアクセスする度に、アクセス情報を生成する。当該アクセス情報には、今回のアクセス時点などの情報が含まれる。スマートフォンは、当該アクセス情報に基づいて、当該Ｗｉ-Ｆｉアクセスポイントの識別子に対応するアクセス記録を更新または新たに確立する。
【００５８】
たとえば、当該Ｗｉ-Ｆｉアクセスポイントの識別子に対応するアクセス記録がスマートフォンに格納されている場合、当該アクセス記録において、スマートフォンから当該Ｗｉ-Ｆｉアクセスポイントへのアクセス回数に１を加算し、または、当該アクセス記録において、今回のアクセス時間でスマートフォンから当該Ｗｉ-Ｆｉアクセスポイントへの直近のアクセス時間を更新する。
【００５９】
当該Ｗｉ-Ｆｉアクセスポイントの識別子に対応するアクセス記録がスマートフォンに格納されていない場合、新規のアクセス記録を確立し、当該アクセス記録において、スマートフォンから当該Ｗｉ-Ｆｉアクセスポイントへのアクセス回数を１に設定し、または、当該アクセス記録において、今回のアクセス時間をスマートフォンから当該Ｗｉ-Ｆｉアクセスポイントへの直近のアクセス時間として設定する。スマートフォンは、当該Ｗｉ-Ｆｉアクセスポイントの識別子と当該新規に確立されたアクセス記録をローカルに格納する。
【００６０】
要するに、本発明の実施例によるアクセスポイントリスト表示方法によると、端末を用いた走査により得られる各無線アクセスポイントの識別子を取得し、各無線アクセスポイントの識別子のうちに少なくとも１つの所定種類の識別子が存在すると判断された場合、当該少なくとも１つの所定種類の識別子に対応するアクセス記録に基づいて、当該少なくとも１つの所定種類の識別子をアクセスポイントリストに表示し、走査された無線アクセスポイントについて、端末が接続したことのある無線アクセスポイントであると判断された場合、当該無線アクセスポイントの識別子をより目立つ形でアクセスポイントリストに表示することによって、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。
【００６１】
図６は、さらに別の例示的な実施例によるアクセスポイントリスト表示方法のフロー図である。本実施例は、当該アクセスポイントリスト表示方法が図１に示す実施環境に応用されることを例として説明する。ここで、当該アクセスポイントリスト表示方法は、図１に示す実施環境の端末１２０に応用される。図６に示すように、当該アクセスポイントリスト表示方法は、下記ステップを含むことができる。
【００６２】
ステップ６０２において、端末を用いた走査により得られる各無線アクセスポイントの識別子を取得する。
【００６３】
ここで、無線アクセスポイントの識別子は、例えば、対応する無線アクセスポイントのＳＳＩＤである。
【００６４】
端末がスマートフォンであり、無線アクセスポイントがＷｉ-Ｆｉアクセスポイントであり、アクセスポイントの識別子がアクセスポイントのＳＳＩＤであることを例とすると、スマートフォンは、アクセスポイントの走査時、スマートフォン付近のＷｉ-Ｆｉアクセスポイントから周期的に送信されるビーコンフレームを受信すると、当該Ｗｉ-Ｆｉアクセスポイントにプローブリクエストフレームを送信する。当該Ｗｉ-Ｆｉアクセスポイントは、当該プローブリクエストフレームを受信すると、当該Ｗｉ-ＦｉアクセスポイントのＳＳＩＤが付いたプローブレスポンスフレームを当該スマートフォンに返信する。
【００６５】
ステップ６０４において、各無線アクセスポイントの識別子のうちに少なくとも１つの所定種類の識別子が存在するか否かを判断する。存在する場合、ステップ６０６に進み、存在しない場合、ステップ６１０に進む。
【００６６】
当該所定種類の識別子は、対応するアクセス記録が当該端末に格納されている識別子であり、当該アクセス記録は、当該所定種類の識別子に対応する無線アクセスポイントに当該端末がアクセスした履歴情報を示すためのものである。
【００６７】
ここで、スマートフォンは、ローカルのデータベースに当該スマートフォンがアクセスしたことのあるＷｉ-Ｆｉアクセスポイントの識別子、及びスマートフォンがアクセスしたことのあるＷｉ-Ｆｉアクセスポイントの識別子に対応するアクセス記録を予め格納することができる。当該アクセス記録には、当該スマートフォンから当該Ｗｉ-Ｆｉアクセスポイントへのアクセス回数が含まれていてもよく、または、当該アクセス記録には、当該スマートフォンから当該Ｗｉ-Ｆｉアクセスポイントへアクセスするたびの時間が含まれていてもよく、または、当該アクセス記録には、当該スマートフォンから当該Ｗｉ-Ｆｉアクセスポイントへのアクセス回数、および当該スマートフォンから当該Ｗｉ-Ｆｉアクセスポイントへアクセスするたびの時間が含まれていてもよい。
【００６８】
ステップ６０６において、当該少なくとも１つの所定種類の識別子に対応するアクセス記録に基づいて、当該少なくとも１つの所定種類の識別子をアクセスポイントリストに表示する。
【００６９】
当該アクセス記録に、当該端末から当該所定種類の識別子に対応する無線アクセスポイントへのアクセス回数が含まれている場合、当該端末から当該少なくとも１つの所定種類の識別子に対応する無線アクセスポイントへのアクセス回数の多い順に、当該少なくとも１つの所定種類の識別子を当該アクセスポイントリストのトップに表示する。当該アクセス記録に、当該端末から当該所定種類の識別子に対応する無線アクセスポイントへの直近のアクセス時間が含まれている場合、当該端末から当該少なくとも１つの所定種類の識別子に対応する無線アクセスポイントへの直近のアクセス時間の近い順に、当該少なくとも１つの所定種類の識別子を当該アクセスポイントリストのトップに表示する。
【００７０】
例えば、端末がスマートフォンであり、無線アクセスポイントがＷｉ-Ｆｉアクセスポイントであり、アクセスポイントの識別子がアクセスポイントのＳＳＩＤであることを例として、スマートフォンを用いた走査により得られるＷｉ-Ｆｉアクセスポイントが計６個あり、当該６個のＷｉ-ＦｉアクセスポイントのＳＳＩＤをそれぞれＡｘｘｘｘ、Ｂｘｘｘｘ、Ｃｘｘｘｘｘ、Ｄｘｘｘｘｘ、Ｅｘｘｘｘｘ、Ｆｘｘｘｘｘとする。ここで、Ｂｘｘｘｘ、Ｃｘｘｘｘｘ、Ｅｘｘｘｘｘは、所定種類の識別子であり、すなわち、Ｂｘｘｘｘ、Ｃｘｘｘｘｘ、Ｅｘｘｘｘｘにそれぞれ対応するアクセス記録がスマートフォンに格納されており、これらのＳＳＩＤに対応するＷｉ-Ｆｉアクセスポイントにスマートフォンがアクセスしたことがあることを示す。本発明の実施例による２種類の所定種類の識別子の表示模式図は、図４、図５に示すようである。
【００７１】
図４に示すように、スマートフォン４０に格納されているＳＳＩＤに対応するアクセス記録に、スマートフォンから当該ＳＳＩＤに対応するアクセスポイントへのアクセス回数が含まれている場合、スマートフォン４０は、Ｂｘｘｘｘ、Ｃｘｘｘｘｘ、Ｅｘｘｘｘｘをアクセス回数の多い順にアクセスポイントリスト４１のトップに並べることができる。ここで、スマートフォン４０のＣｘｘｘｘｘに対応するアクセスポイントへのアクセス回数が最も多く（１００回）、次はＥｘｘｘｘｘに対応するアクセスポイントであり（１０回）、Ｂｘｘｘｘに対応するアクセスポイントへのアクセス回数が最も少ない（１回）。スマートフォン４０は、アクセスポイントリスト４１において、上から第１の位にＣｘｘｘｘｘ、第２の位にＥｘｘｘｘｘ、第３の位にＢｘｘｘｘを表示するとともに、各ＳＳＩＤの右側の指定位置４２にスマートフォンのアクセス回数を表示する。
【００７２】
または、図５に示すように、スマートフォン５０に格納されているＳＳＩＤに対応するアクセス記録に、スマートフォン５０から当該ＳＳＩＤに対応するアクセスポイントへのの直近のアクセス時間が含まれている場合、スマートフォン５０は、Ｂｘｘｘｘ、Ｃｘｘｘｘｘ、Ｅｘｘｘｘｘを直近のアクセス時間の近い順にアクセスポイントリスト５１のトップに並べることができる。ここで、スマートフォン５０からＣｘｘｘｘｘに対応するアクセスポイントへの直近のアクセス時間が最も近く（１日前）、次はＥｘｘｘｘｘに対応するアクセスポイントであり（１週間前）、Ｂｘｘｘｘに対応するアクセスポイントへの直近のアクセス時間が現在の時点から最も遠い（１ヶ月前）。スマートフォン５０は、アクセスポイントリスト５１において、上から第１の位にＣｘｘｘｘｘ、第２の位にＥｘｘｘｘｘ、第３の位にＢｘｘｘｘを表示するとともに、各ＳＳＩＤの右側の指定位置５２に、スマートフォン５０から対応するアクセスポイントへの直近のアクセス時間から現在の時点までの時間間隔を表示する。
【００７３】
ステップ６０８において、当該アクセスポイントリストに対する指定操作を受け、当該各無線アクセスポイントの識別子のうち当該所定種類の識別子以外の識別子を、所定の順に当該アクセスポイントリストに表示する。
【００７４】
ここで、当該所定の順は、英文辞典順、無線アクセスポイントと当該端末の間の距離の遠い順、または、当該端末により受信された無線アクセスポイントの信号の強度の強い順を含む。
【００７５】
端末は、ユーザが端末に対して行われた、他のアクセスポイントの識別子を表示する制御操作を受けると、走査された各無線アクセスポイントの識別子のうち所定種類の識別子以外の識別子をアクセスポイントリストに表示することもできる。これらの所定種類の識別子以外の識別子を、非所定種類の識別子という。各無線アクセスポイントの識別子のうちの非所定種類の識別子に対応するアクセスポイントは、端末からアクセスしたことのないアクセスポイントであるため、端末は、これらの非所定種類の識別子を英文アルファベット、信号の強度または距離によってアクセスポイントリストに表示することができる。
【００７６】
たとえば、英文アルファベットによって表示する場合、端末は、これら非所定種類の識別子のうち、頭文字の英文辞書における位置が前にある識別子をアクセスポイントリストの上側に表示する。頭文字が同一である識別子について、引き続き２番目のアルファベットの英文辞典での順番を比較し、これをもって類推する。
【００７７】
また、これら非所定種類の識別子にアラビア数字も含まれている場合、端末は、頭文字が英文アルファベットである識別子をアクセスポイントリストの上側に優先的に表示し、次に頭文字がアラビア数字である識別子を表示する。すなわち、英文アルファベットの表示優先度は、アラビア数字より高い。同様に、複数の識別子の頭文字が同一のアラビア数字である場合、引き続き当該複数の識別子の２番目の文字を比較する。
【００７８】
信号の強度または距離によってこれら非所定種類の識別子を表示する場合、端末は、これら非所定種類の識別子に対応するアクセスポイントから送信される信号の強度を測定し、これら非所定種類の識別子を信号の強い順にアクセスポイントリストに表示することができる。ここで、最も強い信号に対応する非所定種類の識別子は、アクセスポイントリストの上側に優先的に表示され、最も弱い信号に対応する非所定種類の識別子は、アクセスポイントリストの下側に表示される。または、端末は、非所定種類の識別子に対応する各アクセスポイントと端末の間の距離を測定し、各非所定種類の識別子を距離の近い順にアクセスポイントリストに表示することもできる。ここで、端末からの距離が最も近いアクセスポイントの識別子は、アクセスポイントリストの上側に表示され、端末からの距離が最も遠いアクセスポイントの識別子は、アクセスポイントリストの下側に表示される。
【００７９】
ここで、当該各無線アクセスポイントの識別子のうち当該所定種類の識別子以外の識別子を、所定の順に当該アクセスポイントリストに表示する場合、当該各無線アクセスポイントの識別子のうち当該所定種類の識別子以外の識別子を、当該少なくとも１つの所定種類の識別子の下方に表示することができる。
【００８０】
ここで、端末は、走査された各無線アクセスポイントの識別子をアクセスポイントリストの同一表示領域に表示することができる。ここで、所定種類の識別子は、当該表示領域の上半部に表示され、非所定種類の識別子は、当該表示領域の下半部に表示される。
【００８１】
例えば、端末がスマートフォンであり、無線アクセスポイントがＷｉ-Ｆｉアクセスポイントであり、アクセスポイントの識別子がアクセスポイントのＳＳＩＤであり、スマートフォンを用いた走査により得られるＳＳＩＤのうち、Ｂｘｘｘｘ、Ｃｘｘｘｘｘ、Ｅｘｘｘｘｘは、所定種類の識別子であり、Ａｘｘｘｘ、Ｄｘｘｘｘｘ、Ｆｘｘｘｘｘは、非所定種類の識別子であることを例とする。図７は、非所定種類の識別子の表示模式図である。ここで、初期時点において、スマートフォン７０に表示されるアクセスポイントリスト７１の一番上には、所定種類の識別子のＢｘｘｘｘ、Ｃｘｘｘｘｘ、Ｅｘｘｘｘｘが順に表示され、Ｅｘｘｘｘｘの下方に「Ｍｏｒｅ」タグ７２がある。ユーザは、スマートフォンをＢｘｘｘｘ、Ｃｘｘｘｘｘ、Ｅｘｘｘｘｘのいずれに対応するＷｉ-Ｆｉアクセスポイントにもアクセスしたくない場合、当該タグ７２をクリックすることができる。スマートフォン７０は、アクセスポイントリスト７１において、Ｅｘｘｘｘｘの下方に非所定種類の識別子のＡｘｘｘｘ、Ｄｘｘｘｘｘ、Ｆｘｘｘｘｘを順に表示し、ユーザが非所定種類の識別子から１つを選択して接続するようにする。ここで、表示順は、英文辞典順である。
【００８２】
または、当該各無線アクセスポイントの識別子のうち当該所定種類の識別子以外の識別子を、所定の順に当該アクセスポイントリストに表示する場合、当該少なくとも１つの所定種類の識別子を隠してもよい。
【００８３】
ここで、端末は、走査された各無線アクセスポイントの識別子をアクセスポイントリストの上下２つの独立した表示領域に表示することもできる。ここで、所定種類の識別子は、上側の表示領域に表示され、非所定種類の識別子は、下側の表示領域に表示される。
【００８４】
同様に、端末がスマートフォンであり、無線アクセスポイントがＷｉ-Ｆｉアクセスポイントであり、アクセスポイントの識別子がアクセスポイントのＳＳＩＤであり、スマートフォンにより走査されたＳＳＩＤのうち、Ｂｘｘｘｘ、Ｃｘｘｘｘｘ、Ｅｘｘｘｘｘは、所定種類の識別子であり、Ａｘｘｘｘ、Ｄｘｘｘｘｘ、Ｆｘｘｘｘｘは、非所定種類の識別子であることを例とする。図８は、別の非所定種類の識別子の表示模式図である。ここで、スマートフォン８０に表示されるアクセスポイントリスト８１には、上下２つの展開可能なタグ８２、８３が含まれる。初期時点において、タグ８２は、展開状態であり、且つ展開領域に所定種類の識別子のＢｘｘｘｘ、Ｃｘｘｘｘｘ、Ｅｘｘｘｘｘが順に表示され、タグ８３は非展開状態である。ユーザは、スマートフォンをＢｘｘｘｘ、Ｃｘｘｘｘｘ、Ｅｘｘｘｘｘのいずれに対応するＷｉ-Ｆｉアクセスポイントにもアクセスしたくない場合、当該タグ８３をクリックすることができる。スマートフォン８０は、タグ８３を展開させ、展開領域に非所定種類の識別子のＡｘｘｘｘ、Ｄｘｘｘｘｘ、Ｆｘｘｘｘｘを順に表示し、ユーザが非所定種類の識別子から１つを選択して接続するようにする。ここで、表示順は、英文辞典順である。同時に、スマートフォン８０は、元々展開状態であったタグ８２を再び非展開状態に調整する。
【００８５】
ステップ６１０において、当該各無線アクセスポイントの識別子を所定の順に当該アクセスポイントリストに表示する。
【００８６】
ここで、当該所定の順は、英文辞典順、無線アクセスポイントと当該端末の間の距離の遠い順、または、当該端末により受信された無線アクセスポイントの信号の強度の強い順を含む。
【００８７】
端末を用いた走査により得られる各無線アクセスポイントの識別子がいずれも対応するアクセス記録が端末に格納されていないと判断された場合、走査された各無線アクセスポイントのうち、当該端末からアクセスしたことのある無線アクセスポイントが存在しないことを表す。この場合、上記ステップ６０８での非所定種類の識別子の表示順と同様に、各無線アクセスポイントの識別子を英文アルファベット順、信号の強い順、または距離の遠い順にアクセスポイントリストに表示することができる。
【００８８】
例えば、英文アルファベット順に表示する場合、頭文字の英文辞書における位置が前にある無線アクセスポイントの識別子をアクセスポイントリストの一番上に表示する。頭文字が同一である識別子について、引き続き２番目のアルファベットの英文辞典での順番を比較し、これをもって類推する。
【００８９】
また、無線アクセスポイントの識別子にアラビア数字も含まれている場合、端末は、頭文字が英文アルファベットである識別子をアクセスポイントリストの一番上に優先的に表示し、次に頭文字がアラビア数字である識別子を表示する。すなわち、英文アルファベットの表示優先度は、アラビア数字より高い。同様に、複数の識別子の頭文字が同一のアラビア数字である場合、引き続き当該複数の識別子の２番目の文字を比較する。
【００９０】
信号の強度または距離によってアクセスポイントリストを表示する場合、端末は、各アクセスポイントから送信される信号の強度を測定し、各アクセスポイントの識別子を信号の強い順にアクセスポイントリストに表示することができる。ここで、信号が最も強いアクセスポイントの識別子は、アクセスポイントリストの一番上に表示され、信号が最も弱いアクセスポイントの識別子は、アクセスポイントリストの一番下に表示される。または、端末は、各アクセスポイントと端末の間の距離を測定し、各アクセスポイントの識別子を距離の近い順にアクセスポイントリストに表示することもできる。ここで、端末からの距離が最も近いアクセスポイントの識別子は、アクセスポイントリストの一番上に表示され、端末からの距離が最も遠いアクセスポイントの識別子は、アクセスポイントリストの一番下に表示される。
【００９１】
ステップ６１２において、当該端末が各無線アクセスポイントのうちの１つの無線アクセスポイントにアクセスするとき、当該無線アクセスポイントの識別子に対応するアクセス記録を更新または確立する。
【００９２】
ここで、当該端末が当該各無線アクセスポイントのうちの１つの無線アクセスポイントにアクセスし、かつ当該無線アクセスポイントが当該所定種類の識別子に対応するアクセスポイントである場合、当該無線アクセスポイントの識別子に対応するアクセス記録を更新する。
【００９３】
当該端末が当該各無線アクセスポイントのうちの１つの無線アクセスポイントにアクセスし、かつ当該無線アクセスポイントが当該所定種類の識別子に対応するアクセスポイントではない場合、当該無線アクセスポイントの識別子に対応するアクセス記録を確立する。
【００９４】
端末がスマートフォンであり、無線アクセスポイントがＷｉ-Ｆｉアクセスポイントであることを例とすると、スマートフォンは、Ｗｉ-Ｆｉアクセスポイントにアクセスする度に、アクセス情報を生成する。当該アクセス情報には、今回のアクセス時点などの情報が含まれる。スマートフォンは、当該アクセス情報に基づいて、当該Ｗｉ-Ｆｉアクセスポイントの識別子に対応するアクセス記録を更新または新たに確立する。
【００９５】
例えば、当該Ｗｉ-Ｆｉアクセスポイントの識別子に対応するアクセス記録がスマートフォンに格納されている場合、当該アクセス記録において、スマートフォンから当該Ｗｉ-Ｆｉアクセスポイントへのアクセス回数に１を加算し、または、当該アクセス記録において、今回のアクセス時間でスマートフォンから当該Ｗｉ-Ｆｉアクセスポイントへの直近のアクセス時間を更新する。
【００９６】
当該Ｗｉ-Ｆｉアクセスポイントの識別子に対応するアクセス記録がスマートフォンに格納されていない場合、新規のアクセス記録を確立し、当該アクセス記録において、スマートフォンから当該Ｗｉ-Ｆｉアクセスポイントへのアクセス回数を１に設定し、または、当該アクセス記録において、今回のアクセス時間をスマートフォンから当該Ｗｉ-Ｆｉアクセスポイントへの直近のアクセス時間として設定する。スマートフォンは、当該Ｗｉ-Ｆｉアクセスポイントの識別子と当該新規に確立されたアクセス記録をローカルに格納する。
【００９７】
要するに、本発明の実施例によるアクセスポイントリスト表示方法によると、端末を用いた走査により得られる各無線アクセスポイントの識別子を取得し、各無線アクセスポイントの識別子のうちに少なくとも１つの所定種類の識別子が存在すると判断された場合、当該少なくとも１つの所定種類の識別子に対応するアクセス記録に基づいて、当該少なくとも１つの所定種類の識別子をアクセスポイントリストに表示し、走査された無線アクセスポイントについて、端末が接続したことのある無線アクセスポイントであると判断された場合、当該無線アクセスポイントの識別子をより目立つ形でアクセスポイントリストに表示することによって、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。
【００９８】
以下は、本発明の方法の実施例を実行することができる本発明の装置の実施例である。本発明の装置の実施例に開示されない詳細は、本発明の方法の実施例を参照する。
【００９９】
図９は、一例示的な実施例によるアクセスポイントリスト表示装置のブロック図である。図９に示すように、当該アクセスポイントリスト表示装置は、図１に示す実施環境の端末１２０に応用される。当該アクセスポイントリスト表示装置は、識別子取得モジュール９０１と、判断モジュール９０２と、第１の表示モジュール９０３とを含むが、これに限らない。
【０１００】
上記識別子取得モジュール９０１は、端末を用いた走査により得られる各無線アクセスポイントの識別子を取得するように構成される。
【０１０１】
上記判断モジュール９０２は、上記各無線アクセスポイントの識別子のうちに少なくとも１つの所定種類の識別子が存在するか否かを判断するように構成される。ここで、上記所定種類の識別子は、対応するアクセス記録が上記端末に格納されている識別子であり、上記アクセス記録は、上記所定種類の識別子に対応する無線アクセスポイントに上記端末がアクセスした履歴情報を示すためのものである。
【０１０２】
上記第１の表示モジュール９０３は、上記判断モジュール９０２により判断された結果、上記少なくとも１つの所定種類の識別子が存在する場合、上記少なくとも１つの所定種類の識別子に対応するアクセス記録に基づいて、上記少なくとも１つの所定種類の識別子をアクセスポイントリストに表示するように構成される。
【０１０３】
要するに、本発明の実施例によるアクセスポイントリスト表示装置によると、端末を用いた走査により得られる各無線アクセスポイントの識別子を取得し、各無線アクセスポイントの識別子のうちに少なくとも１つの所定種類の識別子が存在すると判断された場合、当該少なくとも１つの所定種類の識別子に対応するアクセス記録に基づいて、当該少なくとも１つの所定種類の識別子をアクセスポイントリストに表示し、走査された無線アクセスポイントについて、端末が接続したことのある無線アクセスポイントであると判断された場合、当該無線アクセスポイントの識別子をより目立つ形でアクセスポイントリストに表示することによって、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。
【０１０４】
図１０は、別の例示的な実施例によるアクセスポイントリスト表示装置のブロック図である。図１０に示すように、当該アクセスポイントリスト表示装置は、図１に示す実施環境の端末１２０に応用される。当該アクセスポイントリスト表示装置は、識別子取得モジュール９０１と、判断モジュール９０２と、第１の表示モジュール９０３とを含むが、これに限らない。
【０１０５】
上記識別子取得モジュール９０１は、端末を用いた走査により得られる各無線アクセスポイントの識別子を取得するように構成される。
【０１０６】
上記判断モジュール９０２は、上記各無線アクセスポイントの識別子のうちに少なくとも１つの所定種類の識別子が存在するか否かを判断するように構成される。ここで、上記所定種類の識別子は、対応するアクセス記録が上記端末に格納されている識別子であり、上記アクセス記録は、上記所定種類の識別子に対応する無線アクセスポイントに上記端末がアクセスした履歴情報を示すためのものである。
【０１０７】
上記第１の表示モジュール９０３は、上記判断モジュール９０２により判断された結果、上記少なくとも１つの所定種類の識別子が存在する場合、上記少なくとも１つの所定種類の識別子に対応するアクセス記録に基づいて、上記少なくとも１つの所定種類の識別子をアクセスポイントリストに表示するように構成される。
【０１０８】
選択的に、上記第１の表示モジュール９０３は、上記端末から上記所定種類の識別子に対応する無線アクセスポイントへのアクセス回数が上記アクセス記録に含まれている場合、上記端末から上記少なくとも１つの所定種類の識別子に対応する無線アクセスポイントへのアクセス回数の多い順に、上記少なくとも１つの所定種類の識別子を上記アクセスポイントリストのトップに表示するように構成される第１の表示サブモジュール９０３ａと、上記端末から上記所定種類の識別子に対応する無線アクセスポイントへの直近のアクセス時間が上記アクセス記録に含まれている場合、上記端末から上記少なくとも１つの所定種類の識別子に対応する無線アクセスポイントへの直近のアクセス時間の近い順に、上記少なくとも１つの所定種類の識別子を上記アクセスポイントリストのトップに表示するように構成される第２の表示サブモジュール９０３ｂとを含む。
【０１０９】
また、上記装置は、上記アクセスポイントリストに対する指定操作を受けるように構成される操作受けモジュール９０４と、上記各無線アクセスポイントの識別子のうち上記所定種類の識別子以外の識別子を、所定の順に上記アクセスポイントリストに表示するように構成される第２の表示モジュール９０５とをさらに含む。
【０１１０】
上記所定の順は、英文辞典順、無線アクセスポイントと上記端末の間の距離の遠い順、または、上記端末により受信された無線アクセスポイントの信号の強度の強い順を含む。
【０１１１】
選択的に、上記第２の表示モジュール９０５は、上記各無線アクセスポイントの識別子のうち上記所定種類の識別子以外の識別子を、上記少なくとも１つの所定種類の識別子の下方に表示するように構成される。
【０１１２】
選択的に、上記装置は、上記少なくとも１つの所定種類の識別子を隠すように構成される隠しモジュール９０６をさらに含む。
【０１１３】
選択的に、上記装置は、上記判断モジュール９０２により判断された結果、上記少なくとも１つの所定種類の識別子が存在しない場合、所定の順に上記各無線アクセスポイントの識別子を上記アクセスポイントリストに表示するように構成される第３の表示モジュール９０７をさらに含む。
【０１１４】
上記所定の順は、英文辞典順、無線アクセスポイントと上記端末の間の距離の遠い順、または、上記端末により受信された無線アクセスポイントの信号の強度の強い順を含む。
【０１１５】
選択的に、上記装置は、上記端末が上記各無線アクセスポイントのうちの１つの無線アクセスポイントにアクセスし、かつ上記無線アクセスポイントが上記所定種類の識別子に対応するアクセスポイントである場合、上記無線アクセスポイントの識別子に対応するアクセス記録を更新するように構成される記録更新モジュール９０８と、上記端末が上記各無線アクセスポイントのうちの１つの無線アクセスポイントにアクセスし、かつ上記無線アクセスポイントが上記所定種類の識別子に対応するアクセスポイントではない場合、上記無線アクセスポイントの識別子に対応するアクセス記録を確立するように構成される記録確立モジュール９０９とをさらに含む。
【０１１６】
要するに、本発明の実施例によるアクセスポイントリスト表示装置によると、端末を用いた走査により得られる各無線アクセスポイントの識別子を取得し、各無線アクセスポイントの識別子のうちに少なくとも１つの所定種類の識別子が存在すると判断された場合、当該少なくとも１つの所定種類の識別子に対応するアクセス記録に基づいて、当該少なくとも１つの所定種類の識別子をアクセスポイントリストに表示し、走査された無線アクセスポイントについて、端末が接続したことのある無線アクセスポイントであると判断された場合、当該無線アクセスポイントの識別子をより目立つ形でアクセスポイントリストに表示することによって、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。
【０１１７】
上記実施例における装置について、その各モジュールが動作を行う具体的な形態は、既に当該方法に関する実施例において詳細に記載したため、ここで詳細に記述しない。
【０１１８】
図１１は、１つの例示的な実施例に係るアクセスポイントリスト表示装置１１００のブロック図である。例えば、装置１１００は、携帯電話、コンピュータ、デジタル放送端末、メッセージ送受信装置、ゲームコンソール、タブレット装置、医療設備、フィットネス装置、ＰＤＡなどである。
【０１１９】
図１１を参照すると、装置１１００は、プロセスアセンブリ１１０２、メモリ１１０４、電源アセンブリ１１０６、マルチメディアアセンブリ１１０８、オーディオアセンブリ１１１０、入出力（Ｉ／Ｏ）インタフェース１１１２、センサアセンブリ１１１４、及び通信アセンブリ１１１６のような一つ或いは複数のアセンブリを含んでもよい。
【０１２０】
プロセスアセンブリ１１０２は、一般的には装置１１００の全体の動作を制御するものであり、例えば、表示、電話呼び出し、データ通信、カメラ操作、及び記録操作と関連する操作を制御する。プロセスアセンブリ１１０２は、一つ以上のプロセッサ１１２０を含み、これらによって命令を実行することにより、上記の方法の全部、或は一部のステップを実現するようにしてもよい。なお、プロセスアセンブリ１１０２は、一つ以上のモジュールを含んでプロセスアセンブリ１１０２と他のアセンブリの間のインタラクションを容易にしてもよい。例えば、プロセスアセンブリ１１０２は、マルチメディアモジュールを含んでマルチメディアアセンブリ１１０８とプロセスアセンブリ１１０２の間のインタラクションを容易にしてもよい。
【０１２１】
メモリ１１０４は、各種類のデータを記憶することにより装置１１００の動作を支援するように構成される。これらのデータの例は、装置１１００において操作されるいずれのアプリケーションプログラム又は方法の命令、連絡対象データ、電話帳データ、メッセージ、画像、ビデオ等を含む。メモリ１１０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。メモリ１１０４には、上記１つまたは複数のプロセッサ１１２０により実行されることによって、上記図２、３または６のいずれかに示される方法の全部または一部のステップを完成する１つまたは複数のモジュールをさらに含む。
【０１２２】
電源アセンブリ１１０６は、装置１１００の各アセンブリに電力を供給する。電源アセンブリ１１０６は、電源管理システム、一つ或いは複数の電源、及び装置１１００のための電力の生成、管理、及び割り当てに関連する他のアセンブリを含んでもよい。
【０１２３】
マルチメディアアセンブリ１１０８は、上記装置１１００とユーザの間に一つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ１１０８は、一つのフロントカメラ、及び／又はリアカメラを含む。装置１１００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１２４】
オーディオアセンブリ１１１０は、オーディオ信号を入出力するように構成される。例えば、オーディオアセンブリ１１１０は、一つのマイク（ＭＩＣ）を含み、装置１１００が、例えば呼出しモード、記録モード、及び音声認識モード等の操作モードにある場合、マイクは外部のオーディオ信号を受信することができる。受信されたオーディオ信号は、さらにメモリ１１０４に記憶されたり、通信アセンブリ１１１６を介して送信されたりする。部分実施例において、オーディオアセンブリ１１１０は、オーディオ信号を出力するための一つのスピーカーをさらに含む。
【０１２５】
Ｉ／Ｏインタフェース１１１２は、プロセスアセンブリ１１０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２６】
センサアセンブリ１１１４は、装置１１００に各方面の状態に対する評価を提供するための一つ以上のセンサを含む。例えば、センサアセンブリ１１１４は、装置１１００のＯＮ／ＯＦＦ状態、装置１１００のディスプレイとキーパッドのようなアセンブリの相対的な位置決めを検出できる。また、センサアセンブリ１１１４は、装置１１００、或いは装置１１００の一つのアセンブリの位置変更、ユーザと装置１１００とが接触しているか否か、装置１１００の方位、又は加速／減速、装置１１００の温度の変化を検出できる。センサアセンブリ１１１４は、何れの物理的接触がない状態にて付近の物体の存在を検出するための近接センサを含んでもよい。センサアセンブリ１１１４は、撮影アプリケーションに適用するため、ＣＭＯＳ、又はＣＣＤ画像センサのような光センサを含んでもよい。部分実施例において、当該センサアセンブリ１１１４は、加速度センサ、ジャイロスコープセンサ、磁気センサ、圧力センサ、及び温度センサをさらに含んでもよい。
【０１２７】
通信アセンブリ１１１６は、装置１１００と他の機器の間に有線、又は無線形態の通信を提供する。装置１１００は、例えばＷｉＦｉ、２Ｇ、３Ｇ、或はこれらの組み合わせのような、通信規格に基づいた無線ネットワークに接続されてもよい。一つの例示的な実施例において、通信アセンブリ１１１６は、放送チャンネルを介して外部の放送管理システムからの放送信号、又は放送に関連する情報を受信する。一つの例示的な実施例において、上記通信アセンブリ１１１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０１２８】
例示的な実施例において、装置１１００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１２９】
例示的な実施例において、命令を含むコンピュータ読取り可能な非一時的な記録媒体、例えば命令を含むメモリ１１０４をさらに提供し、装置１１００のプロセッサ１１１８により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１３０】
本発明は、上記で記述し、図面で図示した特定の構成に限定されず、その範囲を離脱しない状況で、様様な修正と変更を実現できる。本発明の範囲は、添付される特許請求の範囲のみにより限定される。
【図１】
2017501647.tif 000003
【図２】
2017501647.tif 000004
【図３】
2017501647.tif 000005
【図４】
2017501647.tif 000006
【図５】
2017501647.tif 000007
【図６】
2017501647.tif 000008
【図７】
2017501647.tif 000009
【図８】
2017501647.tif 000010
【図９】
2017501647.tif 000011
【図１０】
2017501647.tif 000012
【図１１】
2017501647.tif 000013
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
端末を用いた走査により得られる各無線アクセスポイントの識別子を取得するステップと、
前記各無線アクセスポイントの識別子のうちに少なくとも１つの所定種類の識別子が存在するか否かを判断するステップと、
判断結果として、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するステップと、
を含み、
前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものであることを特徴とするアクセスポイントリスト表示方法。
【請求項２】
前記少なくとも１つの所定種類の識別子に対応するアクセス記録に基づいて、前記少なくとも１つの所定種類の識別子をアクセスポイントリストに表示するステップは、
前記端末から前記所定種類の識別子に対応する無線アクセスポイントへのアクセス回数が前記アクセス記録に含まれている場合、前記端末から前記少なくとも１つの所定種類の識別子に対応する無線アクセスポイントへのアクセス回数の多い順に、前記少なくとも１つの所定種類の識別子を前記アクセスポイントリストのトップに表示するステップと、
前記端末から前記所定種類の識別子に対応する無線アクセスポイントへの直近のアクセス時間が前記アクセス記録に含まれている場合、前記端末から前記少なくとも１つの所定種類の識別子に対応する無線アクセスポイントへの直近のアクセス時間の近い順に、前記少なくとも１つの所定種類の識別子を前記アクセスポイントリストのトップに表示するステップと、
を含むことを特徴とする請求項１に記載のアクセスポイントリスト表示方法。
【請求項３】
前記アクセスポイントリストに対する指定操作を受けるステップと、
前記各無線アクセスポイントの識別子のうち前記所定種類の識別子以外の識別子を、所定の順に前記アクセスポイントリストに表示するステップと、
をさらに含み、
前記所定の順は、英文辞典順、無線アクセスポイントと前記端末の間の距離の遠い順、または、前記端末により受信された無線アクセスポイントの信号の強度の強い順を含むことを特徴とする請求項１に記載のアクセスポイントリスト表示方法。
【請求項４】
前記各無線アクセスポイントの識別子のうち前記所定種類の識別子以外の識別子を、所定の順に前記アクセスポイントリストに表示するステップは、
前記各無線アクセスポイントの識別子のうち前記所定種類の識別子以外の識別子を、前記少なくとも１つの所定種類の識別子の下方に表示するステップを含むことを特徴とする請求項３に記載のアクセスポイントリスト表示方法。
【請求項５】
前記少なくとも１つの所定種類の識別子を隠すステップをさらに含むことを特徴とする請求項３に記載のアクセスポイントリスト表示方法。
【請求項６】
判断結果として、前記少なくとも１つの所定種類の識別子が存在しない場合、所定の順に前記各無線アクセスポイントの識別子を前記アクセスポイントリストに表示するステップをさらに含み、
前記所定の順は、英文辞典順、無線アクセスポイントと前記端末の間の距離の遠い順、または、前記端末により受信された無線アクセスポイントの信号の強度の強い順を含むことを特徴とする請求項１に記載のアクセスポイントリスト表示方法。
【請求項７】
前記端末が前記各無線アクセスポイントのうちの１つの無線アクセスポイントにアクセスし、かつ前記無線アクセスポイントが前記所定種類の識別子に対応するアクセスポイントである場合、前記無線アクセスポイントの識別子に対応するアクセス記録を更新するステップと、
前記端末が前記各無線アクセスポイントのうちの１つの無線アクセスポイントにアクセスし、かつ前記無線アクセスポイントが前記所定種類の識別子に対応するアクセスポイントではない場合、前記無線アクセスポイントの識別子に対応するアクセス記録を確立するステップと、
をさらに含むことを特徴とする請求項１に記載のアクセスポイントリスト表示方法。
【請求項８】
端末を用いた走査により得られる各無線アクセスポイントの識別子を取得するための識別子取得モジュールと、
前記各無線アクセスポイントの識別子のうちに少なくとも１つの所定種類の識別子が存在するか否かを判断するための判断モジュールと、
前記判断モジュールにより判断された結果、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するための第１の表示モジュールと、
を含み、
前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものであることを特徴とするアクセスポイントリスト表示装置。
【請求項９】
前記第１の表示モジュールは、
前記端末から前記所定種類の識別子に対応する無線アクセスポイントへのアクセス回数が前記アクセス記録に含まれている場合、前記端末から前記少なくとも１つの所定種類の識別子に対応する無線アクセスポイントへのアクセス回数の多い順に、前記少なくとも１つの所定種類の識別子を前記アクセスポイントリストのトップに表示するための第１の表示サブモジュールと、
前記端末から前記所定種類の識別子に対応する無線アクセスポイントへの直近のアクセス時間が前記アクセス記録に含まれている場合、前記端末から前記少なくとも１つの所定種類の識別子に対応する無線アクセスポイントへの直近のアクセス時間の近い順に、前記少なくとも１つの所定種類の識別子を前記アクセスポイントリストのトップに表示するための第２の表示サブモジュールと、
を含むことを特徴とする請求項８に記載のアクセスポイントリスト表示装置。
【請求項１０】
前記アクセスポイントリストに対する指定操作を受けるための操作受けモジュールと、
前記各無線アクセスポイントの識別子のうち前記所定種類の識別子以外の識別子を、所定の順に前記アクセスポイントリストに表示するための第２の表示モジュールと、
をさらに含み、
前記所定の順は、英文辞典順、無線アクセスポイントと前記端末の間の距離の遠い順、または、前記端末により受信された無線アクセスポイントの信号の強度の強い順を含むことを特徴とする請求項８に記載のアクセスポイントリスト表示装置。
【請求項１１】
前記第２の表示モジュールは、
前記各無線アクセスポイントの識別子のうち前記所定種類の識別子以外の識別子を、前記少なくとも１つの所定種類の識別子の下方に表示することを特徴とする請求項１０に記載のアクセスポイントリスト表示装置。
【請求項１２】
前記少なくとも１つの所定種類の識別子を隠すための隠しモジュールをさらに含むことを特徴とする請求項１０に記載のアクセスポイントリスト表示装置。
【請求項１３】
前記判断モジュールにより判断された結果、前記少なくとも１つの所定種類の識別子が存在しない場合、所定の順に前記各無線アクセスポイントの識別子を前記アクセスポイントリストに表示するための第３の表示モジュールをさらに含み、
前記所定の順は、英文辞典順、無線アクセスポイントと前記端末の間の距離の遠い順、または、前記端末により受信された無線アクセスポイントの信号の強度の強い順を含むことを特徴とする請求項８に記載のアクセスポイントリスト表示装置。
【請求項１４】
前記端末が前記各無線アクセスポイントのうちの１つの無線アクセスポイントにアクセスし、かつ前記無線アクセスポイントが前記所定種類の識別子に対応するアクセスポイントである場合、前記無線アクセスポイントの識別子に対応するアクセス記録を更新するための記録更新モジュールと、
前記端末が前記各無線アクセスポイントのうちの１つの無線アクセスポイントにアクセスし、かつ前記無線アクセスポイントが前記所定種類の識別子に対応するアクセスポイントではない場合、前記無線アクセスポイントの識別子に対応するアクセス記録を確立するための記録確立モジュールと、
をさらに含むことを特徴とする請求項８に記載のアクセスポイントリスト表示装置。
【請求項１５】
プロセッサと、
前記プロセッサにより実行可能な命令を記憶するためのメモリと、
を含み、
前記プロセッサは、
端末を用いた走査により得られる各無線アクセスポイントの識別子を取得し、
前記各無線アクセスポイントの識別子のうちに少なくとも１つの所定種類の識別子が存在するか否かを判断し、
判断結果として、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するように構成され、
前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものであることを特徴とするアクセスポイントリスト表示装置。
【請求項１６】
プロセッサに実行されることにより、請求項１から請求項７のいずれか１項に記載のアクセスポイントリスト表示方法を実現することを特徴とするプログラム。
【請求項１７】
請求項１６に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は、出願番号がＣＮ２０１４１０５２１２０８．８であって、出願日が２０１４年９月３０日である中国特許出願に基づき優先権を主張し、当該中国特許出願のすべての内容を本願に援用する。
【０００２】
本発明は、電子表示分野に属し、特にアクセスポイントリスト表示方法、装置、プログラム、及び記録媒体に関するものである。
【背景技術】
【０００３】
スマートフォンなどの無線機能を有する端末は、Ｗｉ-Ｆｉ（Ｗｉｒｅｌｅｓｓ Ｆｉｄｅｌｉｔｙ）アクセスポイントと接続する前に、通常、走査された各アクセスポイントの識別子をリストとしてユーザが見れるように表示することにより、ユーザがリストから１つのアクセスポイントを選択してアクセスするようにする。
関連技術において、端末は、通常、走査された各Ｗｉ-Ｆｉアクセスポイントの識別子を英文辞典順にアクセスポイントリストに表示する。例えば、Ｗｉ-Ｆｉアクセスポイントの識別子が英文のアルファベットからなる場合、端末は、まず走査された各Ｗｉ-Ｆｉアクセスポイントの識別子の頭文字を比較し、頭文字の英文辞典における位置が前にあるＷｉ-Ｆｉアクセスポイントの識別子をアクセスポイントリストのトップに表示し、同一頭文字の識別子に対して、引き続き２番目のアルファベットの英文辞典での順番を比較し、これをもって類推する。
【発明の概要】
【発明が解決しようとする課題】
【０００４】
端末を用いた走査により得られるＷｉ-Ｆｉアクセスポイントの数が比較的多い場合、これらのＷｉ-Ｆｉアクセスポイントの識別子を英文辞典順にアクセスポイントリストに表示すると、ユーザにとって、希望するアクセス先のＷｉ-Ｆｉアクセスポイントを探すまで時間がかかり、時間の無駄遣いが生じてしまい、ユーザの体験に影響を与える。
【課題を解決するための手段】
【０００５】
本発明は、関連技術において、端末を用いた走査により得られるＷｉ-Ｆｉアクセスポイントの数が比較的多い場合、ユーザにとって、希望するアクセス先のＷｉ-Ｆｉアクセスポイントを探すまで時間がかかり、時間の無駄遣いが生じてしまい、ユーザの体験に影響を与える、という問題を解決するために、アクセスポイントリスト表示方法、装置、プログラム、及び記録媒体を提供する。その提案は、下記である。
【０００６】
本発明の第１の態様によると、アクセスポイントリスト表示方法を提供し、当該アクセスポイントリスト表示方法は、
端末を用いた走査により得られる各無線アクセスポイントの識別子を取得するステップと、
前記各無線アクセスポイントの識別子のうちに少なくとも１つの所定種類の識別子が存在するか否かを判断するステップと、
判断結果として、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するステップと、を含み、
前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものである。
【０００７】
好ましくは、前記少なくとも１つの所定種類の識別子に対応するアクセス記録に基づいて、前記少なくとも１つの所定種類の識別子をアクセスポイントリストに表示するステップは、
前記端末から前記所定種類の識別子に対応する無線アクセスポイントへのアクセス回数が前記アクセス記録に含まれている場合、前記端末から前記少なくとも１つの所定種類の識別子に対応する無線アクセスポイントへのアクセス回数の多い順に、前記少なくとも１つの所定種類の識別子を前記アクセスポイントリストのトップに表示するステップと、
前記端末から前記所定種類の識別子に対応する無線アクセスポイントへの直近のアクセス時間が前記アクセス記録に含まれている場合、前記端末から前記少なくとも１つの所定種類の識別子に対応する無線アクセスポイントへの直近のアクセス時間の近い順に、前記少なくとも１つの所定種類の識別子を前記アクセスポイントリストのトップに表示するステップと、を含む。
【０００８】
好ましくは、前記アクセスポイントリスト表示方法は、
前記アクセスポイントリストに対する指定操作を受けるステップと、
前記各無線アクセスポイントの識別子のうち前記所定種類の識別子以外の識別子を、所定の順に前記アクセスポイントリストに表示するステップと、をさらに含み、
前記所定の順は、英文辞典順、無線アクセスポイントと前記端末の間の距離の遠い順、または、前記端末により受信された無線アクセスポイントの信号の強度の強い順を含む。
【０００９】
好ましくは、前記各無線アクセスポイントの識別子のうち前記所定種類の識別子以外の識別子を、所定の順に前記アクセスポイントリストに表示するステップは、
前記各無線アクセスポイントの識別子のうち前記所定種類の識別子以外の識別子を、前記少なくとも１つの所定種類の識別子の下方に表示するステップを含む。
【００１０】
好ましくは、前記アクセスポイントリスト表示方法は、前記少なくとも１つの所定種類の識別子を隠すステップをさらに含む。
【００１１】
好ましくは、前記アクセスポイントリスト表示方法は、
判断結果として、前記少なくとも１つの所定種類の識別子が存在しない場合、所定の順に前記各無線アクセスポイントの識別子を前記アクセスポイントリストに表示するステップをさらに含み、
前記所定の順は、英文辞典順、無線アクセスポイントと前記端末の間の距離の遠い順、または、前記端末により受信された無線アクセスポイントの信号の強度の強い順を含む。
【００１２】
好ましくは、前記アクセスポイントリスト表示方法は、
前記端末が前記各無線アクセスポイントのうちの１つの無線アクセスポイントにアクセスし、かつ前記無線アクセスポイントが前記所定種類の識別子に対応するアクセスポイントである場合、前記無線アクセスポイントの識別子に対応するアクセス記録を更新するステップと、
前記端末が前記各無線アクセスポイントのうちの１つの無線アクセスポイントにアクセスし、かつ前記無線アクセスポイントが前記所定種類の識別子に対応するアクセスポイントではない場合、前記無線アクセスポイントの識別子に対応するアクセス記録を確立するステップと、をさらに含む。
【００１３】
本発明の第２の態様によると、アクセスポイントリスト表示装置を提供し、当該アクセスポイントリスト表示装置は、
端末を用いた走査により得られる各無線アクセスポイントの識別子を取得するための識別子取得モジュールと、
前記各無線アクセスポイントの識別子のうちに少なくとも１つの所定種類の識別子が存在するか否かを判断するための判断モジュールと、
前記判断モジュールにより判断された結果、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するための第１の表示モジュールと、を含み、
前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものである。
【００１４】
好ましくは、前記第１の表示モジュールは、
前記端末から前記所定種類の識別子に対応する無線アクセスポイントへのアクセス回数が前記アクセス記録に含まれている場合、前記端末から前記少なくとも１つの所定種類の識別子に対応する無線アクセスポイントへのアクセス回数の多い順に、前記少なくとも１つの所定種類の識別子を前記アクセスポイントリストのトップに表示するための第１の表示サブモジュールと、
前記端末から前記所定種類の識別子に対応する無線アクセスポイントへの直近のアクセス時間が前記アクセス記録に含まれている場合、前記端末から前記少なくとも１つの所定種類の識別子に対応する無線アクセスポイントへの直近のアクセス時間の近い順に、前記少なくとも１つの所定種類の識別子を前記アクセスポイントリストのトップに表示するための第２の表示サブモジュールと、を含む。
【００１５】
好ましくは、前記アクセスポイントリスト表示装置は、
前記アクセスポイントリストに対する指定操作を受けるための操作受けモジュールと、
前記各無線アクセスポイントの識別子のうち前記所定種類の識別子以外の識別子を、所定の順に前記アクセスポイントリストに表示するための第２の表示モジュールと、をさらに含み、
前記所定の順は、英文辞典順、無線アクセスポイントと前記端末の間の距離の遠い順、または、前記端末により受信された無線アクセスポイントの信号の強度の強い順を含む。
【００１６】
好ましくは、前記第２の表示モジュールは、
前記各無線アクセスポイントの識別子のうち前記所定種類の識別子以外の識別子を、前記少なくとも１つの所定種類の識別子の下方に表示する。
【００１７】
好ましくは、前記アクセスポイントリスト表示装置は、前記少なくとも１つの所定種類の識別子を隠すための隠しモジュールをさらに含む。
【００１８】
好ましくは、前記アクセスポイントリスト表示装置は、
前記判断モジュールにより判断された結果、前記少なくとも１つの所定種類の識別子が存在しない場合、所定の順に前記各無線アクセスポイントの識別子を前記アクセスポイントリストに表示するための第３の表示モジュールをさらに含み、
前記所定の順は、英文辞典順、無線アクセスポイントと前記端末の間の距離の遠い順、または、前記端末により受信された無線アクセスポイントの信号の強度の強い順を含む。
【００１９】
好ましくは、前記アクセスポイントリスト表示装置は、
前記端末が前記各無線アクセスポイントのうちの１つの無線アクセスポイントにアクセスし、かつ前記無線アクセスポイントが前記所定種類の識別子に対応するアクセスポイントである場合、前記無線アクセスポイントの識別子に対応するアクセス記録を更新するための記録更新モジュールと、
前記端末が前記各無線アクセスポイントのうちの１つの無線アクセスポイントにアクセスし、かつ前記無線アクセスポイントが前記所定種類の識別子に対応するアクセスポイントではない場合、前記無線アクセスポイントの識別子に対応するアクセス記録を確立するための記録確立モジュールと、をさらに含む。
【００２０】
本発明の第３の態様によると、アクセスポイントリスト表示装置を提供し、当該アクセスポイントリスト表示装置は、
プロセッサと、
前記プロセッサにより実行可能な命令を記憶するためのメモリと、を含み、
前記プロセッサは、
端末を用いた走査により得られる各無線アクセスポイントの識別子を取得し、
前記各無線アクセスポイントの識別子のうちに少なくとも１つの所定種類の識別子が存在するか否かを判断し、
判断結果として、前記少なくとも１つの所定種類の識別子が存在する場合、前記少なくとも１つの所定種類の識別子に対応するアクセス記録に基づいて、前記少なくとも１つの所定種類の識別子をアクセスポイントリストに表示するように構成され、
前記所定種類の識別子は、対応するアクセス記録が前記端末に格納されている識別子であり、前記アクセス記録は、前記所定種類の識別子に対応する無線アクセスポイントに前記端末がアクセスした履歴情報を示すためのものである。
【００２１】
本発明の実施例の第４の態様によると、プログラムを提供し、当該プログラムは、プロセッサに実行されることにより、上記アクセスポイントリスト表示方法を実現する。
【００２２】
本発明の実施例の第５の態様によると、記録媒体を提供し、当該記録媒体には、上記プログラムが記録されている。
【発明の効果】
【００２３】
本発明の実施例に係る提案は、以下の有益な効果を有する。
【００２４】
端末を用いた走査により得られる各無線アクセスポイントの識別子を取得し、各無線アクセスポイントの識別子のうちに少なくとも１つの所定種類の識別子が存在すると判断された場合、当該少なくとも１つの所定種類の識別子に対応するアクセス記録に基づいて、当該少なくとも１つの所定種類の識別子をアクセスポイントリストに表示し、走査された無線アクセスポイントについて、端末が接続したことのある無線アクセスポイントであると判断された場合、当該無線アクセスポイントの識別子をより目立つ形でアクセスポイントリストに表示することによって、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。
【００２５】
以上の一般的な記述と、以下の詳細の記述は、ただ例示的なものであって、本発明を限定するものではないことを理解すべきである。
【図面の簡単な説明】
【００２６】
ここの図面は、明細書に組み入れて本明細書の一部分を構成し、本発明に該当する実施例を例示するとともに、明細書とともに本発明の原理を解釈するために用いられる。
【図１】一部の例示的な実施例によるアクセスポイントリスト表示方法に係る実施環境の模式図である。
【図２】一例示的な実施例によるアクセスポイントリスト表示方法のフロー図である。
【図３】別の例示的な実施例によるアクセスポイントリスト表示方法のフロー図である。
【図４】別の例示的な実施例による所定種類の識別子の表示模式図である。
【図５】別の例示的な実施例による別の所定種類の識別子の表示模式図である。
【図６】さらに別の例示的な実施例によるアクセスポイントリスト表示方法のフロー図である。
【図７】さらに別の例示的な実施例による非所定種類の識別子の表示模式図である。
【図８】さらに別の例示的な実施例による別の非所定種類の識別子の表示模式図である。
【図９】一例示的な実施例によるアクセスポイントリスト表示装置のブロック図である。
【図１０】別の例示的な実施例によるアクセスポイントリスト表示装置のブロック図である。
【図１１】例示的な実施例によるアクセスポイントリスト表示装置のブロック図である。
【発明を実施するための形態】
【００２７】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。かえって、それらは、添付される特許請求の範囲で詳細に記載される本発明の一部の態様に一致する装置、及び方法の例に過ぎない。
【００２８】
図１は、本発明の各実施例による情報処理方法に係る実施環境の模式図である。当該実施環境は、端末１２０と、複数の無線アクセスポイント１４０を含む。
【００２９】
端末１２０は、スマートフォン、タブレットＰＣ、電子書籍リーダ、ノートパソコンまたは無線ネットワークカードが接続されているデスクトップパソコンなど、無線ネットワークにアクセス可能なスマート端末である。
【００３０】
無線アクセスポイント１４０は、例えばＷｉ-Ｆｉアクセスポイントである。
【００３１】
図２は、一例示的な実施例によるアクセスポイントリスト表示方法のフロー図である。本実施例は、当該アクセスポイントリスト表示方法が図１に示す実施環境に応用されることを例として説明する。ここで、当該アクセスポイントリスト表示方法は、図１に示す実施環境の端末１２０に応用される。図２に示すように、当該アクセスポイントリスト表示方法は、下記ステップを含むことができる。
【００３２】
ステップ２０２において、端末を用いた走査により得られる各無線アクセスポイントの識別子を取得する。
【００３３】
ステップ２０４において、各無線アクセスポイントの識別子のうちに少なくとも１つの所定種類の識別子が存在するか否かを判断する。ここで、当該所定種類の識別子は、対応するアクセス記録が当該端末に格納されている識別子であり、当該アクセス記録は、当該所定種類の識別子に対応する無線アクセスポイントに当該端末がアクセスした履歴情報を示すためのものである。
【００３４】
ステップ２０６において、判断結果として、少なくとも１つの所定種類の識別子が存在する場合、当該少なくとも１つの所定種類の識別子に対応するアクセス記録に基づいて、当該少なくとも１つの所定種類の識別子をアクセスポイントリストに表示する。
【００３５】
本発明の実施例において、走査された無線アクセスポイントの識別子について、対応するアクセス記録が端末に格納されていると判断された場合、当該無線アクセスポイントが、過去に端末からアクセスされたことのある無線アクセスポイントであると確定することができる。ユーザが当該無線アクセスポイントを再び選択してアクセスする可能性が大きいため、アクセスポイントリストを表示する際に、当該無線アクセスポイントの識別子をより目立つ形でアクセスポイントリストに表示することによって、ユーザがアクセスしたい無線アクセスポイントをアクセスポイントリストから容易に見つけ出すようにし、ユーザの時間の節約になる。
【００３６】
要するに、本発明の実施例によるアクセスポイントリスト表示方法によると、端末を用いた走査により得られる各無線アクセスポイントの識別子を取得し、各無線アクセスポイントの識別子のうちに少なくとも１つの所定種類の識別子が存在すると判断された場合、当該少なくとも１つの所定種類の識別子に対応するアクセス記録に基づいて、当該少なくとも１つの所定種類の識別子をアクセスポイントリストに表示し、走査された無線アクセスポイントについて、端末が接続したことのある無線アクセスポイントであると判断された場合、当該無線アクセスポイントの識別子をより目立つ形でアクセスポイントリストに表示することによって、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。
【００３７】
端末が少なくとも１つの所定種類の識別子に対応するアクセス記録に基づいて、当該少なくとも１つの所定種類の識別子をアクセスポイントリストに表示する方法は、例えば、当該少なくとも１つの所定種類の識別子をアクセスポイントリストのトップに表示する方法、当該所定種類の識別子を特殊な色、背景または模様で表示する方法、または、アクセスポイントリストにおける当該所定種類の識別子の表示領域に、当該所定種類の識別子に対応するアクセス記録を表示する方法がある。本発明の以下の実施例は、少なくとも１つの所定種類の識別子をアクセスポイントリストのトップに表示することを例として、本発明の提案を詳細に説明する。
【００３８】
図３は、別の例示的な実施例によるアクセスポイントリスト表示方法のフロー図である。本実施例は、当該アクセスポイントリスト表示方法が図１に示す実施環境に応用されることを例として説明する。ここで、当該アクセスポイントリスト表示方法は、図１に示す実施環境の端末１２０に応用される。図３に示すように、当該アクセスポイントリスト表示方法は、下記ステップを含むことができる。
【００３９】
ステップ３０２において、端末を用いた走査により得られる各無線アクセスポイントの識別子を取得する。
【００４０】
ここで、無線アクセスポイントの識別子は、例えば、対応する無線アクセスポイントのサービスセット識別子ＳＳＩＤ（ＳｅｒｖｉｃｅＳｅｔ Ｉｄｅｎｔｉｆｉｅｒ）である。
【００４１】
端末がスマートフォンであり、無線アクセスポイントがＷｉ-Ｆｉアクセスポイントであり、アクセスポイントの識別子がアクセスポイントのＳＳＩＤであることを例とすると、スマートフォンは、アクセスポイントの走査時、スマートフォン付近のＷｉ-Ｆｉアクセスポイントから周期的に送信されるビーコン（ｂｅａｃｏｎ）フレームを受信すると、当該Ｗｉ-Ｆｉアクセスポイントにプローブリクエスト（ｐｒｏｂｅｒｅｑｕｅｓｔ）フレームを送信する。当該Ｗｉ-Ｆｉアクセスポイントは、当該プローブリクエストフレームを受信すると、当該Ｗｉ-ＦｉアクセスポイントのＳＳＩＤが付いたプローブレスポンス（ｐｒｏｂｅｒｅｓｐｏｎｓｅ）フレームを当該スマートフォンに返信する。
【００４２】
ステップ３０４において、各無線アクセスポイントの識別子のうちに少なくとも１つの所定種類の識別子が存在するか否かを判断する。存在する場合、ステップ３０６に進み、存在しない場合、ステップ３０８に進む。
【００４３】
当該所定種類の識別子は、対応するアクセス記録が当該端末に格納されている識別子であり、当該アクセス記録は、当該所定種類の識別子に対応する無線アクセスポイントに当該端末がアクセスした履歴情報を示すためのものである。
【００４４】
ここで、スマートフォンは、ローカルのデータベースに当該スマートフォンがアクセスしたことのあるＷｉ-Ｆｉアクセスポイントの識別子、及びスマートフォンがアクセスしたことのあるＷｉ-Ｆｉアクセスポイントの識別子に対応するアクセス記録を予め格納することができる。当該アクセス記録には、当該スマートフォンから当該Ｗｉ-Ｆｉアクセスポイントへのアクセス回数が含まれていてもよく、または、当該アクセス記録には、当該スマートフォンから当該Ｗｉ-Ｆｉアクセスポイントへアクセスするたびの時間が含まれていてもよく、または、当該アクセス記録には、当該スマートフォンから当該Ｗｉ-Ｆｉアクセスポイントへのアクセス回数、および当該スマートフォンから当該Ｗｉ-Ｆｉアクセスポイントへアクセスするたびの時間が含まれていてもよい。
【００４５】
ステップ３０６において、当該少なくとも１つの所定種類の識別子に対応するアクセス記録に基づいて、当該少なくとも１つの所定種類の識別子をアクセスポイントリストに表示する。
【００４６】
当該アクセス記録に、当該端末から当該所定種類の識別子に対応する無線アクセスポイントへのアクセス回数が含まれている場合、当該端末から当該少なくとも１つの所定種類の識別子に対応する無線アクセスポイントへのアクセス回数の多い順に、当該少なくとも１つの所定種類の識別子を当該アクセスポイントリストのトップに表示する。当該アクセス記録に、当該端末から当該所定種類の識別子に対応する無線アクセスポイントへの直近のアクセス時間が含まれている場合、当該端末から当該少なくとも１つの所定種類の識別子に対応する無線アクセスポイントへの直近のアクセス時間の近い順に、当該少なくとも１つの所定種類の識別子を当該アクセスポイントリストのトップに表示する。
【００４７】
例えば、端末がスマートフォンであり、無線アクセスポイントがＷｉ-Ｆｉアクセスポイントであり、アクセスポイントの識別子がアクセスポイントのＳＳＩＤであることを例として、スマートフォンを用いた走査により得られるＷｉ-Ｆｉアクセスポイントが計６個あり、当該６個のＷｉ-ＦｉアクセスポイントのＳＳＩＤをそれぞれＡｘｘｘｘ、Ｂｘｘｘｘ、Ｃｘｘｘｘｘ、Ｄｘｘｘｘｘ、Ｅｘｘｘｘｘ、Ｆｘｘｘｘｘとする。ここで、Ｂｘｘｘｘ、Ｃｘｘｘｘｘ、Ｅｘｘｘｘｘは、所定種類の識別子であり、すなわち、Ｂｘｘｘｘ、Ｃｘｘｘｘｘ、Ｅｘｘｘｘｘにそれぞれ対応するアクセス記録がスマートフォンに格納されており、これらのＳＳＩＤに対応するＷｉ-Ｆｉアクセスポイントにスマートフォンがアクセスしたことがあることを示す。本発明の実施例による２種類の所定種類の識別子の表示模式図は、図４、図５に示すようである。
【００４８】
図４に示すように、スマートフォン４０に格納されているＳＳＩＤに対応するアクセス記録に、スマートフォンから当該ＳＳＩＤに対応するアクセスポイントへのアクセス回数が含まれている場合、スマートフォン４０は、Ｂｘｘｘｘ、Ｃｘｘｘｘｘ、Ｅｘｘｘｘｘをアクセス回数の多い順にアクセスポイントリスト４１のトップに並べることができる。ここで、スマートフォン４０のＣｘｘｘｘｘに対応するアクセスポイントへのアクセス回数が最も多く（１００回）、次はＥｘｘｘｘｘに対応するアクセスポイントであり（１０回）、Ｂｘｘｘｘに対応するアクセスポイントへのアクセス回数が最も少ない（１回）。スマートフォン４０は、アクセスポイントリスト４１において、上から第１の位にＣｘｘｘｘｘ、第２の位にＥｘｘｘｘｘ、第３の位にＢｘｘｘｘを表示するとともに、各ＳＳＩＤの右側の指定位置４２にスマートフォンのアクセス回数を表示する。
【００４９】
または、図５に示すように、スマートフォン５０に格納されているＳＳＩＤに対応するアクセス記録に、スマートフォン５０から当該ＳＳＩＤに対応するアクセスポイントへの直近のアクセス時間が含まれている場合、スマートフォン５０は、Ｂｘｘｘｘ、Ｃｘｘｘｘｘ、Ｅｘｘｘｘｘを直近のアクセス時間の近い順にアクセスポイントリスト５１のトップに並べることができる。ここで、スマートフォン５０からＣｘｘｘｘｘに対応するアクセスポイントへの直近のアクセス時間が最も近く（１日前）、次はＥｘｘｘｘｘに対応するアクセスポイントであり（１週間前）、Ｂｘｘｘｘに対応するアクセスポイントへの直近のアクセス時間が現在の時点から最も遠い（１ヶ月前）。スマートフォン５０は、アクセスポイントリスト５１において、上から第１の位にＣｘｘｘｘｘ、第２の位にＥｘｘｘｘｘ、第３の位にＢｘｘｘｘを表示するとともに、各ＳＳＩＤの右側の指定位置５２に、スマートフォン５０から対応するアクセスポイントへの直近のアクセス時間から現在の時点までの時間間隔を表示する。
【００５０】
ステップ３０８において、当該各無線アクセスポイントの識別子を所定の順に当該アクセスポイントリストに表示する。
【００５１】
ここで、当該所定の順は、英文辞典順、無線アクセスポイントと当該端末の間の距離の遠い順、または、当該端末により受信された無線アクセスポイントの信号の強度の強い順を含む。
【００５２】
端末を用いた走査により得られる各無線アクセスポイントの識別子がいずれも対応するアクセス記録が端末に格納されていないと判断された場合、走査された各無線アクセスポイントのうち、当該端末からアクセスしたことのある無線アクセスポイントが存在しないことを表す。この場合、各無線アクセスポイントの識別子を英文アルファベット順、信号の強い順、または距離の遠い順にアクセスポイントリストに表示することができる。
【００５３】
例えば、英文アルファベット順に表示する場合、頭文字の英文辞書における位置が前にある無線アクセスポイントの識別子をアクセスポイントリストの一番上に表示する。頭文字が同一である識別子について、引き続き２番目のアルファベットの英文辞典での順番を比較し、これをもって類推する。
【００５４】
また、無線アクセスポイントの識別子にアラビア数字も含まれている場合、端末は、頭文字が英文アルファベットである識別子をアクセスポイントリストの一番上に優先的に表示し、次に頭文字がアラビア数字である識別子を表示する。すなわち、英文アルファベットの表示優先度は、アラビア数字より高い。同様に、複数の識別子の頭文字が同一のアラビア数字である場合、引き続き当該複数の識別子の２番目の文字を比較する。
【００５５】
信号の強度または距離によってアクセスポイントリストを表示する場合、端末は、各アクセスポイントから送信される信号の強度を測定し、各アクセスポイントの識別子を信号の強い順にアクセスポイントリストに表示することができる。ここで、信号が最も強いアクセスポイントの識別子は、アクセスポイントリストの一番上に表示され、信号が最も弱いアクセスポイントの識別子は、アクセスポイントリストの一番下に表示される。または、端末は、各アクセスポイントと端末の間の距離を測定し、各アクセスポイントの識別子を距離の近い順にアクセスポイントリストに表示することもできる。ここで、端末からの距離が最も近いアクセスポイントの識別子は、アクセスポイントリストの一番上に表示され、端末からの距離が最も遠いアクセスポイントの識別子は、アクセスポイントリストの一番下に表示される。
【００５６】
ステップ３１０において、当該端末が各無線アクセスポイントのうちの１つの無線アクセスポイントにアクセスするとき、当該無線アクセスポイントの識別子に対応するアクセス記録を更新または確立する。
【００５７】
ここで、当該端末が当該各無線アクセスポイントのうちの１つの無線アクセスポイントにアクセスし、かつ当該無線アクセスポイントが当該所定種類の識別子に対応するアクセスポイントである場合、当該無線アクセスポイントの識別子に対応するアクセス記録を更新する。
【００５８】
当該端末が当該各無線アクセスポイントのうちの１つの無線アクセスポイントにアクセスし、かつ当該無線アクセスポイントが当該所定種類の識別子に対応するアクセスポイントではない場合、当該無線アクセスポイントの識別子に対応するアクセス記録を確立する。
【００５９】
端末がスマートフォンであり、無線アクセスポイントがＷｉ-Ｆｉアクセスポイントであることを例とすると、スマートフォンは、Ｗｉ-Ｆｉアクセスポイントにアクセスする度に、アクセス情報を生成する。当該アクセス情報には、今回のアクセス時点などの情報が含まれる。スマートフォンは、当該アクセス情報に基づいて、当該Ｗｉ-Ｆｉアクセスポイントの識別子に対応するアクセス記録を更新または新たに確立する。
【００６０】
たとえば、当該Ｗｉ-Ｆｉアクセスポイントの識別子に対応するアクセス記録がスマートフォンに格納されている場合、当該アクセス記録において、スマートフォンから当該Ｗｉ-Ｆｉアクセスポイントへのアクセス回数に１を加算し、または、当該アクセス記録において、今回のアクセス時間でスマートフォンから当該Ｗｉ-Ｆｉアクセスポイントへの直近のアクセス時間を更新する。
【００６１】
当該Ｗｉ-Ｆｉアクセスポイントの識別子に対応するアクセス記録がスマートフォンに格納されていない場合、新規のアクセス記録を確立し、当該アクセス記録において、スマートフォンから当該Ｗｉ-Ｆｉアクセスポイントへのアクセス回数を１に設定し、または、当該アクセス記録において、今回のアクセス時間をスマートフォンから当該Ｗｉ-Ｆｉアクセスポイントへの直近のアクセス時間として設定する。スマートフォンは、当該Ｗｉ-Ｆｉアクセスポイントの識別子と当該新規に確立されたアクセス記録をローカルに格納する。
【００６２】
要するに、本発明の実施例によるアクセスポイントリスト表示方法によると、端末を用いた走査により得られる各無線アクセスポイントの識別子を取得し、各無線アクセスポイントの識別子のうちに少なくとも１つの所定種類の識別子が存在すると判断された場合、当該少なくとも１つの所定種類の識別子に対応するアクセス記録に基づいて、当該少なくとも１つの所定種類の識別子をアクセスポイントリストに表示し、走査された無線アクセスポイントについて、端末が接続したことのある無線アクセスポイントであると判断された場合、当該無線アクセスポイントの識別子をより目立つ形でアクセスポイントリストに表示することによって、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。
【００６３】
図６は、さらに別の例示的な実施例によるアクセスポイントリスト表示方法のフロー図である。本実施例は、当該アクセスポイントリスト表示方法が図１に示す実施環境に応用されることを例として説明する。ここで、当該アクセスポイントリスト表示方法は、図１に示す実施環境の端末１２０に応用される。図６に示すように、当該アクセスポイントリスト表示方法は、下記ステップを含むことができる。
【００６４】
ステップ６０２において、端末を用いた走査により得られる各無線アクセスポイントの識別子を取得する。
【００６５】
ここで、無線アクセスポイントの識別子は、例えば、対応する無線アクセスポイントのＳＳＩＤである。
【００６６】
端末がスマートフォンであり、無線アクセスポイントがＷｉ-Ｆｉアクセスポイントであり、アクセスポイントの識別子がアクセスポイントのＳＳＩＤであることを例とすると、スマートフォンは、アクセスポイントの走査時、スマートフォン付近のＷｉ-Ｆｉアクセスポイントから周期的に送信されるビーコンフレームを受信すると、当該Ｗｉ-Ｆｉアクセスポイントにプローブリクエストフレームを送信する。当該Ｗｉ-Ｆｉアクセスポイントは、当該プローブリクエストフレームを受信すると、当該Ｗｉ-ＦｉアクセスポイントのＳＳＩＤが付いたプローブレスポンスフレームを当該スマートフォンに返信する。
【００６７】
ステップ６０４において、各無線アクセスポイントの識別子のうちに少なくとも１つの所定種類の識別子が存在するか否かを判断する。存在する場合、ステップ６０６に進み、存在しない場合、ステップ６１０に進む。
【００６８】
当該所定種類の識別子は、対応するアクセス記録が当該端末に格納されている識別子であり、当該アクセス記録は、当該所定種類の識別子に対応する無線アクセスポイントに当該端末がアクセスした履歴情報を示すためのものである。
【００６９】
ここで、スマートフォンは、ローカルのデータベースに当該スマートフォンがアクセスしたことのあるＷｉ-Ｆｉアクセスポイントの識別子、及びスマートフォンがアクセスしたことのあるＷｉ-Ｆｉアクセスポイントの識別子に対応するアクセス記録を予め格納することができる。当該アクセス記録には、当該スマートフォンから当該Ｗｉ-Ｆｉアクセスポイントへのアクセス回数が含まれていてもよく、または、当該アクセス記録には、当該スマートフォンから当該Ｗｉ-Ｆｉアクセスポイントへアクセスするたびの時間が含まれていてもよく、または、当該アクセス記録には、当該スマートフォンから当該Ｗｉ-Ｆｉアクセスポイントへのアクセス回数、および当該スマートフォンから当該Ｗｉ-Ｆｉアクセスポイントへアクセスするたびの時間が含まれていてもよい。
【００７０】
ステップ６０６において、当該少なくとも１つの所定種類の識別子に対応するアクセス記録に基づいて、当該少なくとも１つの所定種類の識別子をアクセスポイントリストに表示する。
【００７１】
当該アクセス記録に、当該端末から当該所定種類の識別子に対応する無線アクセスポイントへのアクセス回数が含まれている場合、当該端末から当該少なくとも１つの所定種類の識別子に対応する無線アクセスポイントへのアクセス回数の多い順に、当該少なくとも１つの所定種類の識別子を当該アクセスポイントリストのトップに表示する。当該アクセス記録に、当該端末から当該所定種類の識別子に対応する無線アクセスポイントへの直近のアクセス時間が含まれている場合、当該端末から当該少なくとも１つの所定種類の識別子に対応する無線アクセスポイントへの直近のアクセス時間の近い順に、当該少なくとも１つの所定種類の識別子を当該アクセスポイントリストのトップに表示する。
【００７２】
例えば、端末がスマートフォンであり、無線アクセスポイントがＷｉ-Ｆｉアクセスポイントであり、アクセスポイントの識別子がアクセスポイントのＳＳＩＤであることを例として、スマートフォンを用いた走査により得られるＷｉ-Ｆｉアクセスポイントが計６個あり、当該６個のＷｉ-ＦｉアクセスポイントのＳＳＩＤをそれぞれＡｘｘｘｘ、Ｂｘｘｘｘ、Ｃｘｘｘｘｘ、Ｄｘｘｘｘｘ、Ｅｘｘｘｘｘ、Ｆｘｘｘｘｘとする。ここで、Ｂｘｘｘｘ、Ｃｘｘｘｘｘ、Ｅｘｘｘｘｘは、所定種類の識別子であり、すなわち、Ｂｘｘｘｘ、Ｃｘｘｘｘｘ、Ｅｘｘｘｘｘにそれぞれ対応するアクセス記録がスマートフォンに格納されており、これらのＳＳＩＤに対応するＷｉ-Ｆｉアクセスポイントにスマートフォンがアクセスしたことがあることを示す。本発明の実施例による２種類の所定種類の識別子の表示模式図は、図４、図５に示すようである。
【００７３】
図４に示すように、スマートフォン４０に格納されているＳＳＩＤに対応するアクセス記録に、スマートフォンから当該ＳＳＩＤに対応するアクセスポイントへのアクセス回数が含まれている場合、スマートフォン４０は、Ｂｘｘｘｘ、Ｃｘｘｘｘｘ、Ｅｘｘｘｘｘをアクセス回数の多い順にアクセスポイントリスト４１のトップに並べることができる。ここで、スマートフォン４０のＣｘｘｘｘｘに対応するアクセスポイントへのアクセス回数が最も多く（１００回）、次はＥｘｘｘｘｘに対応するアクセスポイントであり（１０回）、Ｂｘｘｘｘに対応するアクセスポイントへのアクセス回数が最も少ない（１回）。スマートフォン４０は、アクセスポイントリスト４１において、上から第１の位にＣｘｘｘｘｘ、第２の位にＥｘｘｘｘｘ、第３の位にＢｘｘｘｘを表示するとともに、各ＳＳＩＤの右側の指定位置４２にスマートフォンのアクセス回数を表示する。
【００７４】
または、図５に示すように、スマートフォン５０に格納されているＳＳＩＤに対応するアクセス記録に、スマートフォン５０から当該ＳＳＩＤに対応するアクセスポイントへのの直近のアクセス時間が含まれている場合、スマートフォン５０は、Ｂｘｘｘｘ、Ｃｘｘｘｘｘ、Ｅｘｘｘｘｘを直近のアクセス時間の近い順にアクセスポイントリスト５１のトップに並べることができる。ここで、スマートフォン５０からＣｘｘｘｘｘに対応するアクセスポイントへの直近のアクセス時間が最も近く（１日前）、次はＥｘｘｘｘｘに対応するアクセスポイントであり（１週間前）、Ｂｘｘｘｘに対応するアクセスポイントへの直近のアクセス時間が現在の時点から最も遠い（１ヶ月前）。スマートフォン５０は、アクセスポイントリスト５１において、上から第１の位にＣｘｘｘｘｘ、第２の位にＥｘｘｘｘｘ、第３の位にＢｘｘｘｘを表示するとともに、各ＳＳＩＤの右側の指定位置５２に、スマートフォン５０から対応するアクセスポイントへの直近のアクセス時間から現在の時点までの時間間隔を表示する。
【００７５】
ステップ６０８において、当該アクセスポイントリストに対する指定操作を受け、当該各無線アクセスポイントの識別子のうち当該所定種類の識別子以外の識別子を、所定の順に当該アクセスポイントリストに表示する。
【００７６】
ここで、当該所定の順は、英文辞典順、無線アクセスポイントと当該端末の間の距離の遠い順、または、当該端末により受信された無線アクセスポイントの信号の強度の強い順を含む。
【００７７】
端末は、ユーザが端末に対して行われた、他のアクセスポイントの識別子を表示する制御操作を受けると、走査された各無線アクセスポイントの識別子のうち所定種類の識別子以外の識別子をアクセスポイントリストに表示することもできる。これらの所定種類の識別子以外の識別子を、非所定種類の識別子という。各無線アクセスポイントの識別子のうちの非所定種類の識別子に対応するアクセスポイントは、端末からアクセスしたことのないアクセスポイントであるため、端末は、これらの非所定種類の識別子を英文アルファベット、信号の強度または距離によってアクセスポイントリストに表示することができる。
【００７８】
たとえば、英文アルファベットによって表示する場合、端末は、これら非所定種類の識別子のうち、頭文字の英文辞書における位置が前にある識別子をアクセスポイントリストの上側に表示する。頭文字が同一である識別子について、引き続き２番目のアルファベットの英文辞典での順番を比較し、これをもって類推する。
【００７９】
また、これら非所定種類の識別子にアラビア数字も含まれている場合、端末は、頭文字が英文アルファベットである識別子をアクセスポイントリストの上側に優先的に表示し、次に頭文字がアラビア数字である識別子を表示する。すなわち、英文アルファベットの表示優先度は、アラビア数字より高い。同様に、複数の識別子の頭文字が同一のアラビア数字である場合、引き続き当該複数の識別子の２番目の文字を比較する。
【００８０】
信号の強度または距離によってこれら非所定種類の識別子を表示する場合、端末は、これら非所定種類の識別子に対応するアクセスポイントから送信される信号の強度を測定し、これら非所定種類の識別子を信号の強い順にアクセスポイントリストに表示することができる。ここで、最も強い信号に対応する非所定種類の識別子は、アクセスポイントリストの上側に優先的に表示され、最も弱い信号に対応する非所定種類の識別子は、アクセスポイントリストの下側に表示される。または、端末は、非所定種類の識別子に対応する各アクセスポイントと端末の間の距離を測定し、各非所定種類の識別子を距離の近い順にアクセスポイントリストに表示することもできる。ここで、端末からの距離が最も近いアクセスポイントの識別子は、アクセスポイントリストの上側に表示され、端末からの距離が最も遠いアクセスポイントの識別子は、アクセスポイントリストの下側に表示される。
【００８１】
ここで、当該各無線アクセスポイントの識別子のうち当該所定種類の識別子以外の識別子を、所定の順に当該アクセスポイントリストに表示する場合、当該各無線アクセスポイントの識別子のうち当該所定種類の識別子以外の識別子を、当該少なくとも１つの所定種類の識別子の下方に表示することができる。
【００８２】
ここで、端末は、走査された各無線アクセスポイントの識別子をアクセスポイントリストの同一表示領域に表示することができる。ここで、所定種類の識別子は、当該表示領域の上半部に表示され、非所定種類の識別子は、当該表示領域の下半部に表示される。
【００８３】
例えば、端末がスマートフォンであり、無線アクセスポイントがＷｉ-Ｆｉアクセスポイントであり、アクセスポイントの識別子がアクセスポイントのＳＳＩＤであり、スマートフォンを用いた走査により得られるＳＳＩＤのうち、Ｂｘｘｘｘ、Ｃｘｘｘｘｘ、Ｅｘｘｘｘｘは、所定種類の識別子であり、Ａｘｘｘｘ、Ｄｘｘｘｘｘ、Ｆｘｘｘｘｘは、非所定種類の識別子であることを例とする。図７は、非所定種類の識別子の表示模式図である。ここで、初期時点において、スマートフォン７０に表示されるアクセスポイントリスト７１の一番上には、所定種類の識別子のＢｘｘｘｘ、Ｃｘｘｘｘｘ、Ｅｘｘｘｘｘが順に表示され、Ｅｘｘｘｘｘの下方に「Ｍｏｒｅ」タグ７２がある。ユーザは、スマートフォンをＢｘｘｘｘ、Ｃｘｘｘｘｘ、Ｅｘｘｘｘｘのいずれに対応するＷｉ-Ｆｉアクセスポイントにもアクセスしたくない場合、当該タグ７２をクリックすることができる。スマートフォン７０は、アクセスポイントリスト７１において、Ｅｘｘｘｘｘの下方に非所定種類の識別子のＡｘｘｘｘ、Ｄｘｘｘｘｘ、Ｆｘｘｘｘｘを順に表示し、ユーザが非所定種類の識別子から１つを選択して接続するようにする。ここで、表示順は、英文辞典順である。
【００８４】
または、当該各無線アクセスポイントの識別子のうち当該所定種類の識別子以外の識別子を、所定の順に当該アクセスポイントリストに表示する場合、当該少なくとも１つの所定種類の識別子を隠してもよい。
【００８５】
ここで、端末は、走査された各無線アクセスポイントの識別子をアクセスポイントリストの上下２つの独立した表示領域に表示することもできる。ここで、所定種類の識別子は、上側の表示領域に表示され、非所定種類の識別子は、下側の表示領域に表示される。
【００８６】
同様に、端末がスマートフォンであり、無線アクセスポイントがＷｉ-Ｆｉアクセスポイントであり、アクセスポイントの識別子がアクセスポイントのＳＳＩＤであり、スマートフォンにより走査されたＳＳＩＤのうち、Ｂｘｘｘｘ、Ｃｘｘｘｘｘ、Ｅｘｘｘｘｘは、所定種類の識別子であり、Ａｘｘｘｘ、Ｄｘｘｘｘｘ、Ｆｘｘｘｘｘは、非所定種類の識別子であることを例とする。図８は、別の非所定種類の識別子の表示模式図である。ここで、スマートフォン８０に表示されるアクセスポイントリスト８１には、上下２つの展開可能なタグ８２、８３が含まれる。初期時点において、タグ８２は、展開状態であり、且つ展開領域に所定種類の識別子のＢｘｘｘｘ、Ｃｘｘｘｘｘ、Ｅｘｘｘｘｘが順に表示され、タグ８３は非展開状態である。ユーザは、スマートフォンをＢｘｘｘｘ、Ｃｘｘｘｘｘ、Ｅｘｘｘｘｘのいずれに対応するＷｉ-Ｆｉアクセスポイントにもアクセスしたくない場合、当該タグ８３をクリックすることができる。スマートフォン８０は、タグ８３を展開させ、展開領域に非所定種類の識別子のＡｘｘｘｘ、Ｄｘｘｘｘｘ、Ｆｘｘｘｘｘを順に表示し、ユーザが非所定種類の識別子から１つを選択して接続するようにする。ここで、表示順は、英文辞典順である。同時に、スマートフォン８０は、元々展開状態であったタグ８２を再び非展開状態に調整する。
【００８７】
ステップ６１０において、当該各無線アクセスポイントの識別子を所定の順に当該アクセスポイントリストに表示する。
【００８８】
ここで、当該所定の順は、英文辞典順、無線アクセスポイントと当該端末の間の距離の遠い順、または、当該端末により受信された無線アクセスポイントの信号の強度の強い順を含む。
【００８９】
端末を用いた走査により得られる各無線アクセスポイントの識別子がいずれも対応するアクセス記録が端末に格納されていないと判断された場合、走査された各無線アクセスポイントのうち、当該端末からアクセスしたことのある無線アクセスポイントが存在しないことを表す。この場合、上記ステップ６０８での非所定種類の識別子の表示順と同様に、各無線アクセスポイントの識別子を英文アルファベット順、信号の強い順、または距離の遠い順にアクセスポイントリストに表示することができる。
【００９０】
例えば、英文アルファベット順に表示する場合、頭文字の英文辞書における位置が前にある無線アクセスポイントの識別子をアクセスポイントリストの一番上に表示する。頭文字が同一である識別子について、引き続き２番目のアルファベットの英文辞典での順番を比較し、これをもって類推する。
【００９１】
また、無線アクセスポイントの識別子にアラビア数字も含まれている場合、端末は、頭文字が英文アルファベットである識別子をアクセスポイントリストの一番上に優先的に表示し、次に頭文字がアラビア数字である識別子を表示する。すなわち、英文アルファベットの表示優先度は、アラビア数字より高い。同様に、複数の識別子の頭文字が同一のアラビア数字である場合、引き続き当該複数の識別子の２番目の文字を比較する。
【００９２】
信号の強度または距離によってアクセスポイントリストを表示する場合、端末は、各アクセスポイントから送信される信号の強度を測定し、各アクセスポイントの識別子を信号の強い順にアクセスポイントリストに表示することができる。ここで、信号が最も強いアクセスポイントの識別子は、アクセスポイントリストの一番上に表示され、信号が最も弱いアクセスポイントの識別子は、アクセスポイントリストの一番下に表示される。または、端末は、各アクセスポイントと端末の間の距離を測定し、各アクセスポイントの識別子を距離の近い順にアクセスポイントリストに表示することもできる。ここで、端末からの距離が最も近いアクセスポイントの識別子は、アクセスポイントリストの一番上に表示され、端末からの距離が最も遠いアクセスポイントの識別子は、アクセスポイントリストの一番下に表示される。
【００９３】
ステップ６１２において、当該端末が各無線アクセスポイントのうちの１つの無線アクセスポイントにアクセスするとき、当該無線アクセスポイントの識別子に対応するアクセス記録を更新または確立する。
【００９４】
ここで、当該端末が当該各無線アクセスポイントのうちの１つの無線アクセスポイントにアクセスし、かつ当該無線アクセスポイントが当該所定種類の識別子に対応するアクセスポイントである場合、当該無線アクセスポイントの識別子に対応するアクセス記録を更新する。
【００９５】
当該端末が当該各無線アクセスポイントのうちの１つの無線アクセスポイントにアクセスし、かつ当該無線アクセスポイントが当該所定種類の識別子に対応するアクセスポイントではない場合、当該無線アクセスポイントの識別子に対応するアクセス記録を確立する。
【００９６】
端末がスマートフォンであり、無線アクセスポイントがＷｉ-Ｆｉアクセスポイントであることを例とすると、スマートフォンは、Ｗｉ-Ｆｉアクセスポイントにアクセスする度に、アクセス情報を生成する。当該アクセス情報には、今回のアクセス時点などの情報が含まれる。スマートフォンは、当該アクセス情報に基づいて、当該Ｗｉ-Ｆｉアクセスポイントの識別子に対応するアクセス記録を更新または新たに確立する。
【００９７】
例えば、当該Ｗｉ-Ｆｉアクセスポイントの識別子に対応するアクセス記録がスマートフォンに格納されている場合、当該アクセス記録において、スマートフォンから当該Ｗｉ-Ｆｉアクセスポイントへのアクセス回数に１を加算し、または、当該アクセス記録において、今回のアクセス時間でスマートフォンから当該Ｗｉ-Ｆｉアクセスポイントへの直近のアクセス時間を更新する。
【００９８】
当該Ｗｉ-Ｆｉアクセスポイントの識別子に対応するアクセス記録がスマートフォンに格納されていない場合、新規のアクセス記録を確立し、当該アクセス記録において、スマートフォンから当該Ｗｉ-Ｆｉアクセスポイントへのアクセス回数を１に設定し、または、当該アクセス記録において、今回のアクセス時間をスマートフォンから当該Ｗｉ-Ｆｉアクセスポイントへの直近のアクセス時間として設定する。スマートフォンは、当該Ｗｉ-Ｆｉアクセスポイントの識別子と当該新規に確立されたアクセス記録をローカルに格納する。
【００９９】
要するに、本発明の実施例によるアクセスポイントリスト表示方法によると、端末を用いた走査により得られる各無線アクセスポイントの識別子を取得し、各無線アクセスポイントの識別子のうちに少なくとも１つの所定種類の識別子が存在すると判断された場合、当該少なくとも１つの所定種類の識別子に対応するアクセス記録に基づいて、当該少なくとも１つの所定種類の識別子をアクセスポイントリストに表示し、走査された無線アクセスポイントについて、端末が接続したことのある無線アクセスポイントであると判断された場合、当該無線アクセスポイントの識別子をより目立つ形でアクセスポイントリストに表示することによって、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。
【０１００】
以下は、本発明の方法の実施例を実行することができる本発明の装置の実施例である。本発明の装置の実施例に開示されない詳細は、本発明の方法の実施例を参照する。
【０１０１】
図９は、一例示的な実施例によるアクセスポイントリスト表示装置のブロック図である。図９に示すように、当該アクセスポイントリスト表示装置は、図１に示す実施環境の端末１２０に応用される。当該アクセスポイントリスト表示装置は、識別子取得モジュール９０１と、判断モジュール９０２と、第１の表示モジュール９０３とを含むが、これに限らない。
【０１０２】
上記識別子取得モジュール９０１は、端末を用いた走査により得られる各無線アクセスポイントの識別子を取得するように構成される。
【０１０３】
上記判断モジュール９０２は、上記各無線アクセスポイントの識別子のうちに少なくとも１つの所定種類の識別子が存在するか否かを判断するように構成される。ここで、上記所定種類の識別子は、対応するアクセス記録が上記端末に格納されている識別子であり、上記アクセス記録は、上記所定種類の識別子に対応する無線アクセスポイントに上記端末がアクセスした履歴情報を示すためのものである。
【０１０４】
上記第１の表示モジュール９０３は、上記判断モジュール９０２により判断された結果、上記少なくとも１つの所定種類の識別子が存在する場合、上記少なくとも１つの所定種類の識別子に対応するアクセス記録に基づいて、上記少なくとも１つの所定種類の識別子をアクセスポイントリストに表示するように構成される。
【０１０５】
要するに、本発明の実施例によるアクセスポイントリスト表示装置によると、端末を用いた走査により得られる各無線アクセスポイントの識別子を取得し、各無線アクセスポイントの識別子のうちに少なくとも１つの所定種類の識別子が存在すると判断された場合、当該少なくとも１つの所定種類の識別子に対応するアクセス記録に基づいて、当該少なくとも１つの所定種類の識別子をアクセスポイントリストに表示し、走査された無線アクセスポイントについて、端末が接続したことのある無線アクセスポイントであると判断された場合、当該無線アクセスポイントの識別子をより目立つ形でアクセスポイントリストに表示することによって、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。
【０１０６】
図１０は、別の例示的な実施例によるアクセスポイントリスト表示装置のブロック図である。図１０に示すように、当該アクセスポイントリスト表示装置は、図１に示す実施環境の端末１２０に応用される。当該アクセスポイントリスト表示装置は、識別子取得モジュール９０１と、判断モジュール９０２と、第１の表示モジュール９０３とを含むが、これに限らない。
【０１０７】
上記識別子取得モジュール９０１は、端末を用いた走査により得られる各無線アクセスポイントの識別子を取得するように構成される。
【０１０８】
上記判断モジュール９０２は、上記各無線アクセスポイントの識別子のうちに少なくとも１つの所定種類の識別子が存在するか否かを判断するように構成される。ここで、上記所定種類の識別子は、対応するアクセス記録が上記端末に格納されている識別子であり、上記アクセス記録は、上記所定種類の識別子に対応する無線アクセスポイントに上記端末がアクセスした履歴情報を示すためのものである。
【０１０９】
上記第１の表示モジュール９０３は、上記判断モジュール９０２により判断された結果、上記少なくとも１つの所定種類の識別子が存在する場合、上記少なくとも１つの所定種類の識別子に対応するアクセス記録に基づいて、上記少なくとも１つの所定種類の識別子をアクセスポイントリストに表示するように構成される。
【０１１０】
選択的に、上記第１の表示モジュール９０３は、上記端末から上記所定種類の識別子に対応する無線アクセスポイントへのアクセス回数が上記アクセス記録に含まれている場合、上記端末から上記少なくとも１つの所定種類の識別子に対応する無線アクセスポイントへのアクセス回数の多い順に、上記少なくとも１つの所定種類の識別子を上記アクセスポイントリストのトップに表示するように構成される第１の表示サブモジュール９０３ａと、上記端末から上記所定種類の識別子に対応する無線アクセスポイントへの直近のアクセス時間が上記アクセス記録に含まれている場合、上記端末から上記少なくとも１つの所定種類の識別子に対応する無線アクセスポイントへの直近のアクセス時間の近い順に、上記少なくとも１つの所定種類の識別子を上記アクセスポイントリストのトップに表示するように構成される第２の表示サブモジュール９０３ｂとを含む。
【０１１１】
また、上記装置は、上記アクセスポイントリストに対する指定操作を受けるように構成される操作受けモジュール９０４と、上記各無線アクセスポイントの識別子のうち上記所定種類の識別子以外の識別子を、所定の順に上記アクセスポイントリストに表示するように構成される第２の表示モジュール９０５とをさらに含む。
【０１１２】
上記所定の順は、英文辞典順、無線アクセスポイントと上記端末の間の距離の遠い順、または、上記端末により受信された無線アクセスポイントの信号の強度の強い順を含む。
【０１１３】
選択的に、上記第２の表示モジュール９０５は、上記各無線アクセスポイントの識別子のうち上記所定種類の識別子以外の識別子を、上記少なくとも１つの所定種類の識別子の下方に表示するように構成される。
【０１１４】
選択的に、上記装置は、上記少なくとも１つの所定種類の識別子を隠すように構成される隠しモジュール９０６をさらに含む。
【０１１５】
選択的に、上記装置は、上記判断モジュール９０２により判断された結果、上記少なくとも１つの所定種類の識別子が存在しない場合、所定の順に上記各無線アクセスポイントの識別子を上記アクセスポイントリストに表示するように構成される第３の表示モジュール９０７をさらに含む。
【０１１６】
上記所定の順は、英文辞典順、無線アクセスポイントと上記端末の間の距離の遠い順、または、上記端末により受信された無線アクセスポイントの信号の強度の強い順を含む。
【０１１７】
選択的に、上記装置は、上記端末が上記各無線アクセスポイントのうちの１つの無線アクセスポイントにアクセスし、かつ上記無線アクセスポイントが上記所定種類の識別子に対応するアクセスポイントである場合、上記無線アクセスポイントの識別子に対応するアクセス記録を更新するように構成される記録更新モジュール９０８と、上記端末が上記各無線アクセスポイントのうちの１つの無線アクセスポイントにアクセスし、かつ上記無線アクセスポイントが上記所定種類の識別子に対応するアクセスポイントではない場合、上記無線アクセスポイントの識別子に対応するアクセス記録を確立するように構成される記録確立モジュール９０９とをさらに含む。
【０１１８】
要するに、本発明の実施例によるアクセスポイントリスト表示装置によると、端末を用いた走査により得られる各無線アクセスポイントの識別子を取得し、各無線アクセスポイントの識別子のうちに少なくとも１つの所定種類の識別子が存在すると判断された場合、当該少なくとも１つの所定種類の識別子に対応するアクセス記録に基づいて、当該少なくとも１つの所定種類の識別子をアクセスポイントリストに表示し、走査された無線アクセスポイントについて、端末が接続したことのある無線アクセスポイントであると判断された場合、当該無線アクセスポイントの識別子をより目立つ形でアクセスポイントリストに表示することによって、端末を用いた走査により得られるＷｉ-Ｆｉアクセスポイントの数が比較的多い場合、ユーザが所望のＷｉ-Ｆｉアクセスポイントを快速に探せない、という関連技術の問題点を解決でき、ユーザの時間を節約し、ユーザの体験を向上させる目的を達成できる。
【０１１９】
上記実施例における装置について、その各モジュールが動作を行う具体的な形態は、既に当該方法に関する実施例において詳細に記載したため、ここで詳細に記述しない。
【０１２０】
図１１は、１つの例示的な実施例に係るアクセスポイントリスト表示装置１１００のブロック図である。例えば、装置１１００は、携帯電話、コンピュータ、デジタル放送端末、メッセージ送受信装置、ゲームコンソール、タブレット装置、医療設備、フィットネス装置、ＰＤＡなどである。
【０１２１】
図１１を参照すると、装置１１００は、プロセスアセンブリ１１０２、メモリ１１０４、電源アセンブリ１１０６、マルチメディアアセンブリ１１０８、オーディオアセンブリ１１１０、入出力（Ｉ／Ｏ）インタフェース１１１２、センサアセンブリ１１１４、及び通信アセンブリ１１１６のような一つ或いは複数のアセンブリを含んでもよい。
【０１２２】
プロセスアセンブリ１１０２は、一般的には装置１１００の全体の動作を制御するものであり、例えば、表示、電話呼び出し、データ通信、カメラ操作、及び記録操作と関連する操作を制御する。プロセスアセンブリ１１０２は、一つ以上のプロセッサ１１２０を含み、これらによって命令を実行することにより、上記の方法の全部、或は一部のステップを実現するようにしてもよい。なお、プロセスアセンブリ１１０２は、一つ以上のモジュールを含んでプロセスアセンブリ１１０２と他のアセンブリの間のインタラクションを容易にしてもよい。例えば、プロセスアセンブリ１１０２は、マルチメディアモジュールを含んでマルチメディアアセンブリ１１０８とプロセスアセンブリ１１０２の間のインタラクションを容易にしてもよい。
【０１２３】
メモリ１１０４は、各種類のデータを記憶することにより装置１１００の動作を支援するように構成される。これらのデータの例は、装置１１００において操作されるいずれのアプリケーションプログラム又は方法の命令、連絡対象データ、電話帳データ、メッセージ、画像、ビデオ等を含む。メモリ１１０４は、いずれかの種類の揮発性メモリ、不揮発性メモリ記憶デバイスまたはそれらの組み合わせによって実現されてもよく、例えば、ＳＲＡＭ（ＳｔａｔｉｃＲａｎｄｏｍ Ａｃｃｅｓｓ Ｍｅｍｏｒｙ）、ＥＥＰＲＯＭ（ＥｌｅｃｔｒｉｃａｌｌｙＥｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ＰｒｏｇｒａｍｍａｂｌｅＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。メモリ１１０４には、上記１つまたは複数のプロセッサ１１２０により実行されることによって、上記図２、３または６のいずれかに示される方法の全部または一部のステップを完成する１つまたは複数のモジュールをさらに含む。
【０１２４】
電源アセンブリ１１０６は、装置１１００の各アセンブリに電力を供給する。電源アセンブリ１１０６は、電源管理システム、一つ或いは複数の電源、及び装置１１００のための電力の生成、管理、及び割り当てに関連する他のアセンブリを含んでもよい。
【０１２５】
マルチメディアアセンブリ１１０８は、上記装置１１００とユーザの間に一つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ１１０８は、一つのフロントカメラ、及び／又はリアカメラを含む。装置１１００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１２６】
オーディオアセンブリ１１１０は、オーディオ信号を入出力するように構成される。例えば、オーディオアセンブリ１１１０は、一つのマイク（ＭＩＣ）を含み、装置１１００が、例えば呼出しモード、記録モード、及び音声認識モード等の操作モードにある場合、マイクは外部のオーディオ信号を受信することができる。受信されたオーディオ信号は、さらにメモリ１１０４に記憶されたり、通信アセンブリ１１１６を介して送信されたりする。部分実施例において、オーディオアセンブリ１１１０は、オーディオ信号を出力するための一つのスピーカーをさらに含む。
【０１２７】
Ｉ／Ｏインタフェース１１１２は、プロセスアセンブリ１１０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２８】
センサアセンブリ１１１４は、装置１１００に各方面の状態に対する評価を提供するための一つ以上のセンサを含む。例えば、センサアセンブリ１１１４は、装置１１００のＯＮ／ＯＦＦ状態、装置１１００のディスプレイとキーパッドのようなアセンブリの相対的な位置決めを検出できる。また、センサアセンブリ１１１４は、装置１１００、或いは装置１１００の一つのアセンブリの位置変更、ユーザと装置１１００とが接触しているか否か、装置１１００の方位、又は加速／減速、装置１１００の温度の変化を検出できる。センサアセンブリ１１１４は、何れの物理的接触がない状態にて付近の物体の存在を検出するための近接センサを含んでもよい。センサアセンブリ１１１４は、撮影アプリケーションに適用するため、ＣＭＯＳ、又はＣＣＤ画像センサのような光センサを含んでもよい。部分実施例において、当該センサアセンブリ１１１４は、加速度センサ、ジャイロスコープセンサ、磁気センサ、圧力センサ、及び温度センサをさらに含んでもよい。
【０１２９】
通信アセンブリ１１１６は、装置１１００と他の機器の間に有線、又は無線形態の通信を提供する。装置１１００は、例えばＷｉＦｉ、２Ｇ、３Ｇ、或はこれらの組み合わせのような、通信規格に基づいた無線ネットワークに接続されてもよい。一つの例示的な実施例において、通信アセンブリ１１１６は、放送チャンネルを介して外部の放送管理システムからの放送信号、又は放送に関連する情報を受信する。一つの例示的な実施例において、上記通信アセンブリ１１１６は、近距離無線通信（ＮＦＣ）モジュールをさらに含むことにより、近距離通信をプッシュする。例えば、ＮＦＣモジュールは、ＲＦＩＤ（ＲａｄｉｏＦｒｅｑｕｅｎｃｙ ＩＤｅｎｔｉｆｉｃａｔｉｏｎ）技術、ＩｒＤＡ（ＩｎｆｒａｒｅｄＤａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０１３０】
例示的な実施例において、装置１１００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ ＰｒｏｃｅｓｓｉｎｇＤｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１３１】
例示的な実施例において、命令を含むコンピュータ読取り可能な非一時的な記録媒体、例えば命令を含むメモリ１１０４をさらに提供し、装置１１００のプロセッサ１１１８により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１３２】
本発明は、上記で記述し、図面で図示した特定の構成に限定されず、その範囲を離脱しない状況で、様様な修正と変更を実現できる。本発明の範囲は、添付される特許請求の範囲のみにより限定される。
【国際調査報告】
2017501647.tif 000014
2017501647.tif 000015
2017501647.tif 000016
2017501647.tif 000017